(57)【要約】【課題】サービングセルに対する周辺セルからの干渉による移動局の通信環境の劣化に起因した通信切断を防止するとともに、その周辺セルからの干渉に起因したハンドオーバ失敗やピンポン・ハンドオーバ現象を確実に防止する。【解決手段】移動局が接続している第１基地局は、移動局による測定結果報告（ＭＲ）の送信タイミングを規定する第１通信品質閾値を決定し、その決定した第１通信品質閾値を移動局に送信し、第１通信品質閾値を受信した移動局で測定された第１通信品質が第１通信品質閾値未満又は第１通信品質閾値以下になった後に移動局から送信されたＭＲと通信品質情報とを受信し、そのＭＲと通信品質情報とに基づいて、第１通信品質よりも測定精度が高い第２通信品質が第２通信品質閾値未満又は第２通信品質閾値以下になったタイミングに、データ信号及び制御信号の少なくとも一方を含む下りリンク信号の送信停止を第２基地局に要求する。【選択図】図６
2018037871.tif 000002
【特許請求の範囲】
【請求項１】
移動局が接続している第１基地局と、その第１基地局の周辺に位置する一又は複数の第２基地局とを備える移動通信システムであって、
前記第１基地局は、
前記移動局による測定結果報告（ＭＲ）の送信タイミングを規定する第１通信品質閾値を決定し、その決定した第１通信品質閾値を前記移動局に送信し、
前記第１通信品質閾値を受信した移動局で測定された第１通信品質が前記第１通信品質閾値未満又は前記第１通信品質閾値以下になった後に前記移動局から送信された測定結果報告（ＭＲ）を受信し、
前記測定結果報告（ＭＲ）を受信した後、前記移動局から送信された通信品質情報を受信し、
前記移動局から受信した前記測定結果報告（ＭＲ）及び前記通信品質情報に基づいて、前記第１通信品質よりも測定精度が高い第２通信品質が第２通信品質閾値未満又は該第２通信品質閾値以下になったタイミングに、データ信号及び制御信号の少なくとも一方を含む下りリンク信号の送信停止を前記第２基地局に要求することを特徴とする移動通信システム。
【請求項２】
請求項１の移動通信システムにおいて、
前記第１通信品質は参照信号受信品質（ＲＳＲＱ）であり、
前記第２通信品質は、前記通信品質情報に含まれるチャネル品質情報（ＣＱＩ）とデータ通信の受信に関する受信成功／失敗情報とに基づいて推定されるＳＩＮＲであることを特徴とする移動通信システム。
【請求項３】
請求項１又は２の移動通信システムにおいて、
前記第２基地局は、前記送信停止の要求に応じて、前記下りリンク信号の送信を停止する無線リソースの決定及び前記第１基地局への通知を行うとともに、前記下りリンク信号の送信を停止し、
前記第１基地局は、前記移動局に対する下りリンク信号に用いる無線リソースとして、前記第２基地局から通知された無線リソース又はそれを一部に含む無線リソースを割り当てることを特徴とする移動通信システム。
【請求項４】
請求項１乃至３のいずれかの移動通信システムにおいて、
前記第１基地局は、前記第２通信品質が前記第２通信品質閾値以上又は該第２通信品質閾値よりも大きい場合に、前記移動局から受信した測定結果報告（ＭＲ）に含まれる前記第２基地局からの受信電力Ｓ２と、前記測定結果報告（ＭＲ）に含まれる前記第１基地局からの受信電力Ｓ１とを比較し、その受信電力差（Ｓ２−Ｓ１）が所定の閾値よりも大きくなる場合又は該閾値以上となる場合に、データ信号及び制御信号の少なくとも一方を含む下りリンク信号の送信停止を前記第２基地局に要求し、
前記第２基地局は、前記送信停止の要求に応じて、前記下りリンク信号の送信を停止する無線リソースの決定及び前記第１基地局への通知を行うとともに、前記下りリンク信号の送信を停止し、
前記第１基地局は、前記移動局に対する下りリンク信号に用いる無線リソースとして、前記第２の基地局から通知された無線リソース又はそれを一部に含む無線リソースを割り当てることを特徴とする移動通信システム。
【請求項５】
請求項１乃至３のいずれかの移動通信システムにおいて、
前記第１基地局は、前記第２通信品質が前記第２通信品質閾値以上又は該第２通信品質閾値よりも大きい場合に、前記移動局から受信した測定結果報告（ＭＲ）に含まれる前記複数の第２基地局からの受信電力Ｓ２と、前記測定結果報告（ＭＲ）に含まれる前記第１基地局からの受信電力Ｓ１とを比較し、その受信電力差（Ｓ２−Ｓ１）が所定の閾値よりも大きくなる又は該閾値以上となる複数の第２基地局のうち、前記受信電力差（Ｓ２−Ｓ１）が大きい順に上位の一又は複数の第２基地局に対して、データ信号及び制御信号の少なくとも一方を含む下りリンク信号の送信停止を要求し、
前記上位の一又は複数の第２基地局は、前記送信停止の要求に応じて、前記下りリンク信号の送信を停止する無線リソースの決定及び前記第１基地局への通知を行うとともに、前記下りリンク信号の送信を停止し、
前記第１基地局は、前記移動局に対する下りリンク信号に用いる無線リソースとして、前記上位の一又は複数の第２基地局から通知された無線リソース又はそれを一部に含む無線リソースを割り当てることを特徴とする移動通信システム。
【請求項６】
請求項１乃至５のいずれかの移動通信システムにおいて、
前記第１基地局は、前記第２基地局に前記下りリンク信号の送信停止を要求するとき、前記下りリンク信号の送信を停止する無線リソースの時間及び周波数の少なくとも一方を指定することを特徴とする移動通信システム。
【請求項７】
請求項１乃至５の移動通信システムにおいて、
前記第１基地局は、前記第２基地局に前記下りリンク信号の送信停止を要求するとき、前記下りリンク信号の送信を停止する無線リソース量を指定し、
前記第２基地局は、前記第１基地局によって指定された無線リソース量を満たすように、前記下りリンク信号の送信を停止する無線リソースの時間及び周波数の少なくとも一方を前記第１基地局に通知することを特徴とする移動通信システム。
【請求項８】
請求項１乃至７のいずれかの移動通信システムにおいて、
前記第２基地局は、前記移動局が接続する基地局を前記第１基地局から前記第２基地局に切り換えるハンドオーバ処理が完了したときに、前記第２基地局に接続されている複数の移動局のうち前記ハンドオーバ処理が完了した移動局に割り当てられている無線リソースについて前記下りリンク信号の送信停止を終了することを特徴とする移動通信システム。
【請求項９】
請求項１乃至８のいずれかの移動通信システムにおいて、
前記第２基地局は、前記第２基地局における前記下りリンク信号の送信停止を開始してから所定時間経過したときに、前記第２基地局に接続されている複数の移動局のうち前記下りリンク信号の送信停止開始から所定時間経過した移動局に割り当てられている無線リソースについて前記下りリンク信号の送信停止を終了することを特徴とする移動通信システム。
【請求項１０】
請求項１乃至９のいずれかの移動通信システムにおいて、
前記第２基地局は、前記移動局における前記第２基地局からの参照信号の受信電力と前記第１基地局から参照信号の受信電力との間の受信電力差（Ｓ２−Ｓ１）に基づいて、前記第２基地局に接続されている複数の移動局のうち前記受信電力差（Ｓ２−Ｓ１）が所定の閾値よりも小さい又は該閾値以下の移動局に割り当てられている無線リソースについて前記下りリンク信号の送信停止を終了することを特徴とする移動通信システム。
【請求項１１】
請求項１乃至１０のいずれかの移動通信システムにおいて、
前記第２基地局は、前記移動局における前記第１基地局からの下りリンク信号の受信品質の予測結果に基づいて、前記第２基地局に接続されている複数の移動局のうち前記受信品質の予測結果が所定の閾値よりも大きくなった又は該閾値以上になった移動局に割り当てられている無線リソースについて前記下りリンク信号の送信停止を終了することを特徴とする移動通信システム。
【請求項１２】
請求項４又は５の移動通信システムにおいて、
前記第１基地局は、前記移動局が接続する基地局を前記第１基地局から前記第２基地局に切り換えるハンドオーバを開始する基準となる前記受信電力差（Ｓ２−Ｓ１）が通常のハンドオーバ閾値に到達するよりも早期に前記移動局が前記第２基地局及び前記第１基地局からの受信電力のフィードバックを行うように前記移動局に指示することを特徴とする移動通信システム。
【請求項１３】
請求項４又は５の移動通信システムにおいて、
前記第１基地局は、前記第２通信品質が所定の閾値よりも低下する場合又は該閾値以下になる場合には、前記移動局が接続する基地局を前記第１基地局から前記第２基地局に切り換えるハンドオーバを開始する基準となる前記受信電力差（Ｓ２−Ｓ１）が通常のハンドオーバ閾値に到達するよりも早期に前記移動局のハンドオーバの開始を決定することを特徴とする移動通信システム。
【請求項１４】
移動通信システムの基地局であって、
自局に接続する移動局による測定結果報告（ＭＲ）の送信タイミングを規定する第１通信品質閾値を決定する手段と、
前記決定した第１通信品質閾値を前記移動局に送信する手段と、
前記通信品質閾値を受信した移動局で測定された第１通信品質が前記第１通信品質閾値未満又は前記第１通信品質閾値以下になった後に前記移動局から送信された測定結果報告（ＭＲ）を受信する手段と、
前記測定結果報告（ＭＲ）を受信した後、前記移動局から送信された通信品質情報を受信する手段と、
前記移動局から受信した前記測定結果報告（ＭＲ）及び前記通信品質情報に基づいて、前記第１通信品質よりも測定精度が高い第２通信品質が第２通信品質閾値未満又は該第２通信品質閾値以下になったタイミングに、データ信号及び制御信号の少なくとも一方を含む下りリンク信号の送信停止を、自局の周辺に位置する一又は複数の他の基地局に要求する手段と、を備えることを特徴とする基地局。
【請求項１５】
請求項１４の基地局において、
前記第１通信品質は参照信号受信品質（ＲＳＲＱ）であり、
前記第２通信品質は、前記通信品質情報に含まれるチャネル品質情報（ＣＱＩ）とデータ通信の受信に関する受信成功／失敗情報とに基づいて推定されるＳＩＮＲであるであることを特徴とする基地局。
【請求項１６】
請求項１４又は１５の基地局において、
前記移動局に対する下りリンク信号に用いる無線リソースとして、前記他の基地局から通知された無線リソース又はそれを一部に含む無線リソースを割り当てる手段を備えることを特徴とする基地局。
【請求項１７】
請求項１４乃至１６のいずれかの基地局において、
前記第２通信品質が前記第２通信品質閾値以上又は該第２通信品質閾値よりも大きい場合に、前記移動局から受信した測定結果報告（ＭＲ）に含まれる前記他の基地局からの受信電力Ｓ２と、前記測定結果報告（ＭＲ）に含まれる自局からの受信電力Ｓ１とを比較する手段と、
前記移動局が接続する基地局を自局から前記他の基地局に切り換えるハンドオーバを開始する基準となる受信電力差（Ｓ２−Ｓ１）が通常のハンドオーバ閾値に到達するよりも早期に前記移動局が前記他の基地局及び自局からの受信電力のフィードバックを行うように前記移動局に要求する手段と、
前記移動局からフィードバックされる自局からの前記第２通信品質が所定の閾値よりも低下する場合又は該閾値以下になる場合には、前記移動局のハンドオーバを開始する基準となる前記受信電力差（Ｓ２−Ｓ１）が通常のハンドオーバ閾値に到達するよりも早期に前記移動局のハンドオーバの開始を決定する手段と、を備えることを特徴とする基地局。
【請求項１８】
請求項１４乃至１６のいずれかの基地局において、
前記第２通信品質が前記第２通信品質閾値以上又は該第２通信品質閾値よりも大きい場合に、前記移動局から受信した測定結果報告（ＭＲ）に含まれる前記他の基地局からの受信電力Ｓ２と、前記測定結果報告（ＭＲ）に含まれる自局からの受信電力Ｓ１とを比較する手段と、
その受信電力差（Ｓ２−Ｓ１）が所定の閾値よりも大きくなる場合又は該閾値以上となる場合に、データ信号及び制御信号の少なくとも一方を含む下りリンク信号の送信停止を前記他の基地局に要求する手段と、
前記移動局に対する下りリンク信号に用いる無線リソースとして、前記他の基地局から通知された無線リソース又はそれを一部に含む無線リソースを割り当てる手段と、を備えることを特徴とする基地局。
【請求項１９】
請求項１４乃至１６のいずれかの基地局において、
前記第２通信品質が前記第２通信品質閾値以上又は該第２通信品質閾値よりも大きい場合に、前記移動局から受信した測定結果報告（ＭＲ）に含まれる前記他の基地局からの受信電力Ｓ２と、前記測定結果報告（ＭＲ）に含まれる自局からの受信電力Ｓ１とを比較する手段と、
その受信電力差（Ｓ２−Ｓ１）が所定の閾値よりも大きくなる又は該閾値以上となる複数の他の基地局のうち、前記受信電力差（Ｓ２−Ｓ１）が大きい順に上位の一又は複数の他の基地局に対して、データ信号及び制御信号の少なくとも一方を含む下りリンク信号の送信停止を要求する手段と、
前記移動局に対する下りリンク信号に用いる無線リソースとして、前記上位の一又は複数の他の基地局から通知された無線リソース又はそれを一部に含む無線リソースを割り当てる手段と、
を備えることを特徴とする基地局。
【請求項２０】
移動通信システムにおける移動局のハンドオーバを制御するハンドオーバ制御方法であって、
移動局が接続している第１基地局が、前記移動局による測定結果報告（ＭＲ）の送信タイミングを規定する第１通信品質閾値を決定することと、
前記第１基地局が、前記決定した第１通信品質閾値を前記移動局に送信することと、
前記第１基地局が、前記第１通信品質閾値を受信した移動局で測定された第１通信品質が前記第１通信品質閾値未満又は前記第１通信品質閾値以下になった後に前記移動局から送信された測定結果報告（ＭＲ）を受信することと、
前記第１基地局が、前記測定結果報告（ＭＲ）を受信した後、前記移動局から送信された通信品質情報を受信することと、
前記第１基地局が、前記移動局から受信した前記測定結果報告（ＭＲ）及び前記通信品質情報に基づいて、前記第１通信品質よりも測定精度が高い第２通信品質が第２通信品質閾値未満又は該第２通信品質閾値以下になったタイミングに、データ信号及び制御信号の少なくとも一方を含む下りリンク信号の送信停止を前記第２基地局に要求することを含むことを特徴とするハンドオーバ制御方法。
【発明の詳細な説明】
【技術分野】
【０００１】
本発明は、基地局、移動通信システム及びハンドオーバ制御方法に関するものである。
【背景技術】
【０００２】
従来、セルラー方式の移動通信システムにおいて、サービングセルを走行している通信中の移動局が他の周辺セルに移動するとき、移動局が接続して通信する基地局を周辺セルの基地局に切り換えて通信を継続するハンドオーバが知られている（例えば、非特許文献１、２参照）。
【発明の概要】
【発明が解決しようとする課題】
【０００３】
上記従来のハンドオーバでは、移動局が接続しているサービングセルに対する周辺セルからの干渉により、ハンドオーバに失敗したり両セルの間でハンドオーバを繰り返す現象（ピンポン・ハンドオーバ現象）が発生したりするおそれがある。また、サービングセルに対する周辺セルからの干渉により、サービングセルに接続している移動局の通信環境が劣化してサービングセルの基地局と移動局との通信が切断してしまうおそれがある。
【０００４】
本発明は以上の問題点に鑑みなされたものであり、その目的は、移動局が接続しているサービングセルに対する周辺セルからの干渉による移動局の通信環境の劣化に起因した通信切断を防止するとともに、その周辺セルからの干渉に起因したハンドオーバ失敗やピンポン・ハンドオーバ現象を確実に防止することができる基地局、移動通信システム及びハンドオーバ制御方法を提供することである。
【課題を解決するための手段】
【０００５】
本発明の一態様に係る移動通信システムは、移動局が接続している第１基地局と、その第１基地局の周辺に位置する一又は複数の第２基地局とを備える移動通信システムであって、前記第１基地局は、前記移動局による測定結果報告（ＭＲ）の送信タイミングを規定する第１通信品質閾値を決定し、その決定した第１通信品質閾値を前記移動局に送信し、前記第１通信品質閾値を受信した移動局で測定された第１通信品質が前記第１通信品質閾値未満又は前記第１通信品質閾値以下になった後に前記移動局から送信された測定結果報告（ＭＲ）を受信し、前記測定結果報告（ＭＲ）を受信した後、前記移動局から送信された通信品質情報を受信し、前記移動局から受信した前記測定結果報告（ＭＲ）及び前記通信品質情報に基づいて、前記第１通信品質よりも測定精度が高い第２通信品質が第２通信品質閾値未満又は該第２通信品質閾値以下になったタイミングに、データ信号及び制御信号の少なくとも一方を含む下りリンク信号の送信停止を前記第２基地局に要求する。
ここで、前記第１通信品質は参照信号受信品質（ＲＳＲＱ）であり、前記第２通信品質は、前記通信品質情報に含まれるチャネル品質情報（ＣＱＩ）とデータ通信の受信に関する受信成功／失敗情報とに基づいて推定されるＳＩＮＲであってもよい。
【０００６】
前記移動通信システムにおいて、前記第２基地局は、前記送信停止の要求に応じて、前記下りリンク信号の送信を停止する無線リソースの決定及び前記第１基地局への通知を行うとともに、前記下りリンク信号の送信を停止し、前記第１基地局は、前記移動局に対する下りリンク信号に用いる無線リソースとして、前記第２基地局から通知された無線リソース又はそれを一部に含む無線リソースを割り当ててもよい。
【０００７】
また、前記移動通信システムにおいて、前記第１基地局は、前記第２通信品質が前記第２通信品質閾値以上又は該第２通信品質閾値よりも大きい場合に、前記移動局から受信した測定結果報告（ＭＲ）に含まれる前記第２基地局からの受信電力Ｓ２と、前記測定結果報告（ＭＲ）に含まれる前記第１基地局からの受信電力Ｓ１とを比較し、その受信電力差（Ｓ２−Ｓ１）が所定の閾値よりも大きくなる場合又は該閾値以上となる場合に、データ信号及び制御信号の少なくとも一方を含む下りリンク信号の送信停止を前記第２基地局に要求し、前記第２基地局は、前記送信停止の要求に応じて、前記下りリンク信号の送信を停止する無線リソースの決定及び前記第１基地局への通知を行うとともに、前記下りリンク信号の送信を停止し、前記第１基地局は、前記移動局に対する下りリンク信号に用いる無線リソースとして、前記第２の基地局から通知された無線リソース又はそれを一部に含む無線リソースを割り当ててもよい。
【０００８】
また、前記移動通信システムにおいて、前記第１基地局は、前記第２通信品質が前記第２通信品質閾値以上又は該第２通信品質閾値よりも大きい場合に、前記移動局から受信した測定結果報告（ＭＲ）に含まれる前記複数の第２基地局からの受信電力Ｓ２と、前記測定結果報告（ＭＲ）に含まれる前記第１基地局からの受信電力Ｓ１とを比較し、その受信電力差（Ｓ２−Ｓ１）が所定の閾値よりも大きくなる又は該閾値以上となる複数の第２基地局のうち、前記受信電力差（Ｓ２−Ｓ１）が大きい順に上位の一又は複数の第２基地局に対して、データ信号及び制御信号の少なくとも一方を含む下りリンク信号の送信停止を要求し、前記上位の一又は複数の第２基地局は、前記送信停止の要求に応じて、前記下りリンク信号の送信を停止する無線リソースの決定及び前記第１基地局への通知を行うとともに、前記下りリンク信号の送信を停止し、前記第１基地局は、前記移動局に対する下りリンク信号に用いる無線リソースとして、前記上位の一又は複数の第２基地局から通知された無線リソース又はそれを一部に含む無線リソースを割り当ててもよい。
【０００９】
前記移動通信システムにおいて、前記送信を停止する下りリンク信号は、データ信号及び制御信号の両方を含んでもよい。
また、前記移動通信システムにおいて、前記第１基地局は、前記第２基地局に前記下りリンク信号の送信停止を要求するとき、前記下りリンク信号の送信を停止する無線リソースの時間及び周波数の少なくとも一方を指定してもよい。
また、前記移動通信システムにおいて、前記第１基地局は、前記第２基地局に前記下りリンク信号の送信停止を要求するとき、前記下りリンク信号の送信を停止する無線リソース量を指定し、前記第２基地局は、前記第１基地局によって指定された無線リソース量を満たすように、前記下りリンク信号の送信を停止する無線リソースの時間及び周波数の少なくとも一方を前記第１基地局に通知してもよい。
【００１０】
また、前記移動通信システムにおいて、前記第２基地局は、前記移動局が接続する基地局を前記第１基地局から前記第２基地局に切り換えるハンドオーバ処理が完了したときに、前記第２基地局に接続されている複数の移動局のうち前記ハンドオーバ処理が完了した移動局に割り当てられている無線リソースについて前記下りリンク信号の送信停止を終了してもよい。
また、前記移動通信システムにおいて、前記第２基地局は、前記第２基地局における前記下りリンク信号の送信停止を開始してから所定時間経過したときに、前記第２基地局に接続されている複数の移動局のうち前記下りリンク信号の送信停止開始から所定時間経過した移動局に割り当てられている無線リソースについて前記下りリンク信号の送信停止を終了してもよい。
また、前記移動通信システムにおいて、前記第２基地局は、前記移動局における前記第２基地局からの参照信号の受信電力と前記第１基地局から参照信号の受信電力との間の受信電力差（Ｓ２−Ｓ１）に基づいて、前記第２基地局に接続されている複数の移動局のうち前記受信電力差（Ｓ２−Ｓ１）が所定の閾値よりも小さい又は該閾値以下の移動局に割り当てられている無線リソースについて前記下りリンク信号の送信停止を終了してもよい。
また、前記移動通信システムにおいて、前記第２基地局は、前記移動局における前記第１基地局からの下りリンク信号の受信品質の予測結果に基づいて、前記第２基地局に接続されている複数の移動局のうち前記受信品質の予測結果が所定の閾値よりも大きくなった又は該閾値以上になった移動局に割り当てられている無線リソースについて前記下りリンク信号の送信停止を終了してもよい。
【００１１】
また、前記移動通信システムにおいて、前記第１基地局は、前記移動局が接続する基地局を前記第１基地局から前記第２基地局に切り換えるハンドオーバを開始する基準となる前記受信電力差（Ｓ２−Ｓ１）が通常のハンドオーバ閾値に到達するよりも早期に前記移動局が前記第２基地局及び前記第１基地局からの受信電力の次回フィードバックを行うように前記移動局に指示してもよい。
また、前記移動通信システムにおいて、前記第１基地局は、前記第２通信品質が所定の閾値よりも低下する場合又は該閾値以下になる場合には、前記移動局が接続する基地局を前記第１基地局から前記第２基地局に切り換えるハンドオーバを開始する基準となる前記受信電力差（Ｓ２−Ｓ１）が通常のハンドオーバ閾値に到達するよりも早期に前記移動局のハンドオーバの開始を決定してもよい。
【００１２】
本発明の他の態様に係る基地局は、移動通信システムの基地局であって、自局に接続する移動局による測定結果報告（ＭＲ）の送信タイミングを規定する第１通信品質閾値を決定する手段と、前記決定した第１通信品質閾値を前記移動局に送信する手段と、前記第１通信品質閾値を受信した移動局で測定された第１通信品質が前記第１通信品質閾値未満又は前記第１通信品質閾値以下になった後に前記移動局から送信された測定結果報告（ＭＲ）を受信する手段と、前記測定結果報告（ＭＲ）を受信した後、前記移動局から送信された通信品質情報を受信する手段と、前記移動局から受信した前記測定結果報告（ＭＲ）及び前記通信品質情報に基づいて、前記第１通信品質よりも測定精度が高い第２通信品質が第２通信品質閾値未満又は該第２通信品質閾値以下になったタイミングに、データ信号及び制御信号の少なくとも一方を含む下りリンク信号の送信停止を前記第２基地局に要求する手段と、を備える。
ここで、前記通信品質は参照信号受信品質（ＲＳＲＱ）であり、前記第２通信品質は、前記通信品質情報に含まれるチャネル品質情報（ＣＱＩ）とデータ通信の受信に関する受信成功／失敗情報とに基づいて推定されるＳＩＮＲであってもよい。
前記基地局において、前記移動局に対する下りリンク信号に用いる無線リソースとして、前記他の基地局から通知された無線リソース又はそれを一部に含む無線リソースを割り当てる手段を備えてもよい。
また、前記基地局において、前記第２通信品質が前記第２通信品質閾値以上又は該第２通信品質閾値よりも大きい場合に、前記移動局から受信した測定結果報告（ＭＲ）に含まれる前記他の基地局からの受信電力Ｓ２と、前記測定結果報告（ＭＲ）に含まれる自局からの受信電力Ｓ１とを比較する手段と、前記移動局が接続する基地局を自局から前記他の基地局に切り換えるハンドオーバを開始する基準となる受信電力差（Ｓ２−Ｓ１）が通常のハンドオーバ閾値に到達するよりも早期に前記移動局が前記他の基地局及び自局からの受信電力のフィードバックを行うように前記移動局に要求する手段と、前記移動局からフィードバックされる前記自局からの受信品質Ｑ１が所定の閾値よりも低下する場合又は該閾値以下になる場合には、前記移動局のハンドオーバを開始する基準となる前記受信電力差（Ｓ２−Ｓ１）が通常のハンドオーバ閾値に到達するよりも早期に前記移動局のハンドオーバの開始を決定する手段と、を備えてもよい。
また、前記基地局において、前記第２通信品質が前記第２通信品質閾値以上又は該第２通信品質閾値よりも大きい場合に、前記移動局から受信した測定結果報告（ＭＲ）に含まれる前記他の基地局からの受信電力Ｓ２と、前記測定結果報告（ＭＲ）に含まれる自局からの受信電力Ｓ１とを比較する手段と、その受信電力差（Ｓ２−Ｓ１）が所定の閾値よりも大きくなる場合又は該閾値以上となる場合に、データ信号及び制御信号の少なくとも一方を含む下りリンク信号の送信停止を前記他の基地局に要求する手段と、前記移動局に対する下りリンク信号に用いる無線リソースとして、前記他の基地局から通知された無線リソース又はそれを一部に含む無線リソースを割り当てる手段と、を備えてもよい。
また、前記基地局において、前記第２通信品質が前記第２通信品質閾値以上又は該第２通信品質閾値よりも大きい場合に、前記移動局から受信した測定結果報告（ＭＲ）に含まれる前記他の基地局からの受信電力Ｓ２と、前記測定結果報告（ＭＲ）に含まれる自局からの受信電力Ｓ１とを比較する手段と、その受信電力差（Ｓ２−Ｓ１）が所定の閾値よりも大きくなる又は該閾値以上となる複数の他の基地局のうち、前記受信電力差（Ｓ２−Ｓ１）が大きい順に上位の一又は複数の他の基地局に対して、データ信号及び制御信号の少なくとも一方を含む下りリンク信号の送信停止を要求する手段と、前記移動局に対する下りリンク信号に用いる無線リソースとして、前記上位の一又は複数の他の基地局から通知された無線リソース又はそれを一部に含む無線リソースを割り当てる手段と、を備えてもよい。
【００１３】
本発明の他の態様に係るハンドオーバ制御方法は、移動通信システムにおける移動局のハンドオーバを制御するハンドオーバ制御方法であって、移動局が接続している第１基地局が、前記移動局による測定結果報告（ＭＲ）の送信タイミングを規定する第１通信品質閾値を決定することと、前記決定した第１通信品質閾値を前記移動局に送信することと、前記第１基地局が、前記第１通信品質閾値を受信した移動局で測定された第１通信品質が前記第１通信品質閾値未満又は前記第１通信品質閾値以下になった後に前記移動局から送信された測定結果報告（ＭＲ）を受信することと、前記第１基地局が、前記測定結果報告（ＭＲ）を受信した後、前記移動局から送信された通信品質情報を受信することと、前記第１基地局が、前記移動局から受信した前記測定結果報告（ＭＲ）及び前記通信品質情報に基づいて、前記第１通信品質よりも測定精度が高い第２通信品質が第２通信品質閾値未満又は該第２通信品質閾値以下になったタイミングに、データ信号及び制御信号の少なくとも一方を含む下りリンク信号の送信停止を前記第２基地局に要求することを含む。
ここで、前記通信品質は参照信号受信品質（ＲＳＲＱ）であり、前記第２通信品質は、前記通信品質情報に含まれるチャネル品質情報（ＣＱＩ）とデータ通信の受信に関する受信成功／失敗情報とに基づいて推定されるＳＩＮＲであってもよい。
【発明の効果】
【００１４】
本発明によれば、移動局が接続しているサービングセルに対する周辺セルからの干渉による移動局の通信環境の劣化に起因した通信切断を防止するとともに、その周辺セルからの干渉に起因したハンドオーバ失敗やピンポン・ハンドオーバ現象を確実に防止することができる。
【図面の簡単な説明】
【００１５】
【図１】本発明の一実施形態に係る移動局が通信可能な移動通信システムの概略構成を示す説明図。
【図２】ＬＴＥ／ＬＴＥ−ＡｄｖａｎｃｅｄのＮｏｒｍａｌ  Ｃｙｃｌｉｃ  Ｐｒｅｆｉｘ仕様における下りリンクフレーム構成、サブフレーム構成およびチャネル構成の一例を示す説明図。
【図３】サブフレームの一構成例を示す説明図。
【図４】ＬＴＥ及びＬＴＥ−ＡｄｖａｎｃｅｄのＮｏｒｍａｌ  ＣＰ仕様における参照信号の一構成例を示す説明図。
【図５】（ａ）はソースセルからターゲットセルに端末がハンドオーバするときの制御の一例を示すシーケンス図。（ｂ）はハンドオーバ制御時の端末における参照信号の受信電力（ＲＳＲＰ）の時間変化を示すグラフ。
【図６】（ａ）は本実施形態に係る移動通信システムにおけるハンドオーバ制御の一例を示すシーケンス図。（ｂ）はハンドオーバ制御時のソースセル及びターゲットセルそれぞれから受信した参照信号の受信電力（ＲＳＲＰ）の時間変化の一例を示すグラフ。
【図７】本実施形態に係る移動通信システムにおけるハンドオーバ制御の他の例を示すシーケンス図。
【図８】（ａ）は本実施形態に係る移動通信システムにおけるハンドオーバ制御の他の例を示すシーケンス図。（ｂ）はハンドオーバ制御時のソースセル及びターゲットセルそれぞれから受信した参照信号の受信電力（ＲＳＲＰ）の時間変化の一例を示すグラフ。
【図９】（ａ）は本実施形態に係る移動通信システムにおけるハンドオーバ制御の更に他の例を示すシーケンス図。（ｂ）はハンドオーバ制御時のソースセル基地局及びターゲットセル基地局それぞれから受信した参照信号の受信電力（ＲＳＲＰ）の時間変化の一例を示すグラフ。
【図１０】本実施形態に係る移動通信システムのソースセル基地局におけるハンドオーバ時の制御例の主要部を示すフローチャート。
【図１１】同ハンドオーバ時の制御例の一部を示すフローチャート。
【図１２】同ハンドオーバ時の制御例の他の一部を示すフローチャート。
【図１３】同ハンドオーバ時の制御例の一部の変形例を示すフローチャート。
【図１４】本実施形態に係る移動通信システムのターゲットセル基地局におけるハンドオーバ時の制御例の主要部を示すフローチャート。
【発明を実施するための形態】
【００１６】
以下、図面を参照して本発明の実施形態について説明する。
ここでは、ＬＴＥ（Long Term Evolution）／ＬＴＥ−Ａｄｖａｎｃｅｄへの適用を前提に本発明の実施形態を説明するが、類似のセル構成、物理チャネル構成を用いるシステムであれば、本発明の概念はどのようなシステムにも適用可能である。また、伝搬路の推定に用いられる参照信号系列や誤り訂正のために用いられる符号化方式はＬＴＥ／ＬＴＥ−Ａｄｖａｎｃｅｄで定義されているものに限定されず、これらの用途に適合するものであれば、どのような種類のものでも構わない。
【００１７】
まず、本発明に係る移動局を適用可能な移動通信システムの全体構成について説明する。
図１は、本発明の一実施形態に係る移動局装置が通信可能な移動通信システムの概略構成を示す説明図である。
図１において、本実施形態の移動通信システムは、前述のＬＴＥ／ＬＴＥ−Ａｄｖａｎｃｅｄの仕様に準拠する移動通信システムであり、無線通信エリアであるセル１０Ａ，２０Ａが互いに隣接する第１基地局１０と第２基地局２０とを備え、そのセル１０Ａ，２０Ａ間を移動局であるユーザ端末装置ＵＥ（以下「端末」という。）３０が移動するときハンドオーバして連続的に通信可能に構成されている。図１において、端末３０は、第１基地局１０のセル１０Ａに在圏し、第１基地局１０から電話やデータ通信などの下りリンクの無線信号を希望信号（希望波）として受信可能な状態にある。また、端末３０は、セル１０Ａとセル２０Ａとのセル境界エリアに位置しているため、第２基地局２０から送信された下りの無線信号を干渉信号（干渉波）として受信するおそれがある。
【００１８】
なお、図１では、第１基地局１０、第２基地局２０及び端末３０を一つずつ図示しているが、第１基地局１０、第２基地局２０及び端末３０はそれぞれ複数であってもよい。また、図１では、第１基地局１０及び第２基地局２０それぞれがマクロセル基地局である場合について説明するが、第１基地局１０及び第２基地局２０それぞれがスモールセル基地局であってもよい。また、第１基地局１０及び第２基地局２０のいずれか一方がマクロセル基地局であり他方がスモールセル基地局であってもよい。また、第１基地局１０及び第２基地局２０のいずれか一方の基地局が他方の基地局のセル内に配置されていてもよい。例えば、第１基地局１０がマクロセル基地局であり、そのマクロセル内にスモールセル基地局である第２基地局２０が配置された異種混在ネットワーク（ＨｅｔＮｅｔ）を構成してもよい。
【００１９】
本実施形態の第１基地局１０及び第２基地局２０として用いられるマクロセル基地局は、移動体通信網において屋外に設置されている通常の半径数百ｍ乃至数ｋｍ程度の広域エリアであるマクロセルをカバーする広域の基地局であり、ＬＴＥ／ＬＴＥ−Ａｄｖａｎｃｅｄでは一般にｅＮＢ（Evolved Node-B）と呼ばれ、また、「Ｍａｃｒｏ  ｅ−Ｎｏｄｅ  Ｂ」、「ＭｅＮＢ」等と呼ばれる場合もある。マクロセル基地局は、他の基地局と例えば有線の通信回線で接続され、所定の通信インターフェースで通信可能になっている。また、第１基地局１０は、回線終端装置及び専用回線を介して移動体通信網のコアネットワークに接続され、移動体通信網内の各種ノードとの間で所定の通信インターフェースにより通信可能になっている。
【００２０】
また、本実施形態の第１基地局１０及び第２基地局２０の少なくとも一方として用いることができるスモールセル基地局は、広域のマクロ基地局とは異なり、無線通信可能距離が数ｍ乃至数百ｍ程度であり、一般家庭、店舗、オフィス等の屋内にも設置することができる移動設置可能な基地局である。スモールセル基地局は、移動体通信網における広域のマクロ基地局がカバーするエリアよりも小さなエリア（例えばマイクロセルやピコセル）をカバーするように設けられるため、マイクロ基地局やピコ基地局と呼ばれる場合もある。また、スモールセル基地局は、「フェムト基地局」、「Ｈｏｍｅ  ｅ−Ｎｏｄｅ  Ｂ」、「Ｈｏｍｅ  ｅＮＢ」と呼ばれる基地局の場合もある。スモールセル基地局についても、回線終端装置及びＡＤＳＬ（Asymmetric Digital Subscriber Line）回線や光回線等のブロードバンド公衆通信回線を介して移動体通信網のコアネットワークに接続され、コアネットワーク上の各種ノードとの間で所定の通信インターフェースにより通信可能になっている。
【００２１】
ユーザが使用する端末３０は、ＬＴＥ／ＬＴＥ−Ａｄｖａｎｃｅｄでは一般にＵＥ（User Equipment）と呼ばれる。端末３０は、第１基地局１０のセル１０Ａや第２基地局２０のセル２０Ａに在圏するときに、その在圏するセルに対応する第１基地局１０や第２基地局２０と間で所定の通信方式及びリソースを用いて無線通信することができる。
【００２２】
図２は、ＬＴＥ／ＬＴＥ−ＡｄｖａｎｃｅｄのＮｏｒｍａｌ  Ｃｙｃｌｉｃ  Ｐｒｅｆｉｘ（以下、「Ｎｏｒｍａｌ  ＣＰ」という。）仕様における下りリンクのフレーム構成、サブフレーム構成およびチャネル構成の一例を示す説明図である。また、図３は、サブフレームの一構成例を示す説明図である。無線フレーム長は１０ｍｓであり、１ｍｓ長の１０個のサブフレームから構成される。
【００２３】
図３に示すように、サブフレームは１４ＯＦＤＭシンボルから構成される。また、無線リソース割当て最小単位はＲＢ（Resource Block）と呼ばれ、周波数方向に１２サブキャリア、時間軸方向に７ＯＦＤＭシンボルの計８４個のＲＥ（Resource Element）で構成される。スケジューリングの最小単位であるＴＴＩ（Transmission Time Interval）は、１サブフレーム（１４ＯＦＤＭシンボル）であり、１サブフレーム毎に各移動局装置がどの周波数／時間リソースマッピングされているのか、各端末へのデータ信号などの下りリンク信号がどのような変調フォーマット（変調方式、符号化率）を使用するか等のスケジューリングを行い、その結果が端末３０へ通知される。以下、下りリンク物理チャネルとその役割について説明する。
【００２４】
〔同期信号（ＳＳ）〕
端末３０が接続先の最適なセルを探索することを「セルサーチ」と呼び、セルサーチに用いられる信号を同期信号（ＳＳ：Synchronization Signal）と呼ぶ。同期信号ＳＳは、システム帯域の中央７２サブキャリア分を用い、最小周波数帯域幅内で送信される。この最小周波数帯域幅内で同期信号ＳＳを送信することにより、端末３０がシステムで使用されているシステム帯域幅を意識せずにセルサーチが可能となる。同期信号ＳＳは２種類の符号系列を持っており、シンボルタイミング同期およびローカルＩＤ検出を目的としたＰ−ＳＳ（Primary-SS）と、無線フレーム同期およびセルＩＤグループ検出を目的としたＳ−ＳＳ（Secondary-SS）とがある。これらの２系列の組合せを検出することにより、当該セルの識別情報である物理レイヤセルＩＤ（以下、「セルＩＤ」という。）を取得することが可能となる。
【００２５】
〔物理報知チャネル（ＰＢＣＨ）〕
物理報知チャネル（ＰＢＣＨ：Physical Broadcast Channel）には、端末３０がセルサーチ後に最初に読むべき最低限の情報のみが含まれる。これらの情報はＭＩＢ（Master information Block）と呼ばれ、システム帯域幅やシステムフレーム番号（ＳＦＮ：System Frame Number）等の基本情報が含まれる。その他のシステム情報であるＳＩＢ（System Information Block）に関しては、後述する物理共有データチャネル（ＰＤＳＣＨ：Physical Downlink Shared Channel）で送信される。端末３０は、ＰＢＣＨを復号することにより、当該セルの基地局の送信アンテナ数の情報を取得することができる。また、ＰＢＣＨもＳＳと同様にシステム帯域幅の事前情報なしで復号できる必要があるため、帯域の中心において最小帯域幅内で送信される。
【００２６】
〔参照信号（ＲＳ）〕
図４はＬＴＥ及びＬＴＥ−ＡｄｖａｎｃｅｄのＮｏｒｍａｌ  ＣＰ仕様における参照信号の構成例を示す説明図である。
図４に示すように、ＬＴＥにおいてサブフレーム内の時間領域で１４ＯＦＤＭシンボルのうち、第１、５、８、１２ＯＦＤＭシンボル内、周波数領域で６サブキャリア間隔でセル固有参照信号（ＣＲＳ：Cell-specific Reference Signal）はＣＣ全体（周波数軸上および時間軸上）に分散して規則的に配置され常時送信される。また、ＣＲＳは、端末３０におけるチャネル品質情報（ＣＳＩ：Channel State Information）の測定用の基準信号及びデータ復調用の基準信号という２つの役割を担っている。ＣＲＳはセルＩＤによって、異なるスクランブリングとマッピングされるサブキャリア位置の周波数シフトが適用される。
【００２７】
〔Ｌ１／Ｌ２制御チャネル（ＰＣＦＩＣＨ、ＰＨＩＣＨ、ＰＤＣＣＨ）〕
下りリンクＬ１／Ｌ２制御信号はＬａｙｅｒ−１（Ｌ１）およびＬａｙｅｒ−２（Ｌ２）に閉じた制御情報であり、ＰＣＦＩＣＨ（Physical Control Format Indicator Channel）、ＰＨＩＣＨ（Physical HARQ Indicator Channel）、ＰＤＣＣＨ（Physical Downlink Control Channel）という３つの異なる物理チャネルに対応する。
【００２８】
ＰＣＦＩＣＨは、ＰＤＣＣＨが使用するＯＦＤＭシンボル数を通知し、通常、間接的にサブフレーム内のデータ領域のスタートタイミングを示す。制御信号領域のサイズが１、２または３ＯＦＤＭシンボルのどれに対応するかをＰＣＦＩＣＨの中のＣＦＩ（Control Format Indicator）値により端末３０へ通知する。また、ＰＣＦＩＣＨが、復号されるまで制御信号領域のサイズが分からないため、常に各サブフレームの先頭のＯＦＤＭシンボルにマッピングされる。
【００２９】
ＰＨＩＣＨは、上りリンクの共有チャネルであるＰＵＳＣＨ（Physical Uplink Shared Channel）に対する再送要求信号を通知する。ＰＨＩＣＨは、ＰＣＦＩＣＨの指示によらず通常、各サブフレームの第１ＯＦＤＭで送信される。また、ＰＨＩＣＨは、ＭＩＢに設定するＰＨＩＣＨ関連のパラメータにより、準静的に第１、第２、第３の３つのＯＦＤＭシンボル区間を用いて送信することも可能である。この場合は、制御信号領域のＯＦＤＭシンボル数はＰＣＦＩＣＨの指示によらず３となり、データ領域のスタートタイミングは固定される。
【００３０】
ＰＤＣＣＨは、上下リンクのスケジューリングの決定や上りリンクの電力制御コマンドなどの制御情報（ＤＣＩ：Downlink Control Information）の伝送に用いられる。ＤＣＩには、ＰＤＳＣＨリソース指示、伝送フォーマット、ＨＡＲＱ情報、および空間多重に関する制御情報を含む下りリンクスケジューリング割当てが含まれる。また、ＤＣＩには、ＰＵＳＣＨリソース指示、伝送フォーマット、ＨＡＲＱ関連情報を上りリンクスケジューリンググラントも含まれる。なお、上りリンクスケジューリンググラントには、ＰＵＳＣＨ上り物理チャネルの電力制御のためのコマンドも含まれる。さらに、スケジューリング割当て／グラントにおける補助的なコマンドとなるＵＥのセットに対する電力制御コマンドもＤＣＩに含まれる。
【００３１】
前述のように、各サブフレームは、下りリンクＬ１／Ｌ２制御チャネル信号のＲＥがマッピングされる制御信号領域と、各ユーザのデータ信号およびＬ１／Ｌ２より上位レイヤの制御信号が含まれる下りリンク信号である物理共有チャネル信号のＲＥがマッピングされるデータ領域とに分けられ、ＣＲＳに割り当てられたＲＥ以外のＲＥに対し、制御信号またはデータ信号が配置される。また、制御信号領域はリソース量に応じて各サブフレームの先頭１〜３ＯＦＤＭシンボルである。
【００３２】
〔物理共有チャネル（ＰＤＳＣＨ）〕
ＰＤＳＣＨは、下りリンクのデータ信号を送信する物理チャネルである。また、ＭＩＢ以外の報知情報であるＳＩＢや着信時の呼び出しであるページング情報、その他上位レイヤの制御メッセージ、例えばＲＲＣ（Radio Resource Control protocol）レイヤの制御情報もＰＤＳＣＨで送信される。端末３０は、ＰＤＣＣＨから取得した無線リソース割当位置、変調方式、データサイズ（ＴＢ：Transport Block size）等の情報に基づいてＰＤＳＣＨを復号する。
【００３３】
次に、上記構成の移動通信システムにおいて端末３０が接続している第１基地局１０のセル１０Ａからセル境界エリアを通過して第２基地局２０のセル２０Ａに移動してセル２０Ａ内に在圏するようになるときのハンドオーバ処理について説明する。
【００３４】
なお、以下の説明において、ハンドオーバ前の端末３０が接続しているセル１０Ａ及び第１基地局１０をそれぞれソースセル１０Ａ及びソースセル基地局１０といい、ハンドオーバ後の端末３０が接続するセル２０Ａ及び第２基地局２０をそれぞれターゲットセル２０Ａ及びターゲットセル基地局２０という。
【００３５】
図５（ａ）は、ソースセルセル１０Ａからターゲットセル２０Ａに端末３０がハンドオーバするときの制御の一例を示すシーケンス図である。また、図５（ｂ）はハンドオーバ制御時の端末３０における参照信号受信電力（ＲＳＲＰ）の時間変化を示すグラフである。なお、図示の例は、ＬＴＥ／ＬＴＥ−Ａｄｖａｎｃｅｄで採用されている、通信するために接続するセルが１つとなるハード・ハンドオーバ（Ｈａｒｄ  ＨＯ）の例である。
【００３６】
図５において、端末３０は、接続中のソースセル基地局１０に、ハンドオーバ先候補セルの情報を含む測定結果報告（ＭＲ：Measurement Report）を送出する。ソースセル基地局１０は、端末３０から受信した測定結果報告（ＭＲ）に基づき、周辺基地局であるターゲットセル基地局２０から送信した参照信号の受信電力（ＲＳＲＰ：Reference Signal Received Power）：Ｓ２と自局（第１基地局）１０から送信した参照信号の受信電力（ＲＳＲＰ）：Ｓ１との受信電力差ΔＳ（＝Ｓ２−Ｓ１）が所定の閾値Ｔｈ（ＨＯ）（「Ａ３ｏｆｆｓｅｔ」や「ハンドオーバマージン」ともいう。）を上回っているかどうか監視するハンドオーバ開始判定処理を行う。
【００３７】
上記ハンドオーバ開始判定処理において、ソースセル基地局１０は、受信電力差ΔＳが所定の閾値Ｔｈ（ＨＯ）よりも大きくなったときにハンドオーバ処理を開始する。なお、ソースセル基地局１０は、受信電力差ΔＳが所定の閾値Ｔｈ（ＨＯ）よりも大きくなった状態が所定の監視期間（ＴＴＴ：Time-to-trigger）継続したときにハンドオーバ処理を開始してもよい。
【００３８】
上記ハンドオーバ処理を開始するとき、例えば、ソースセル基地局１０は、端末３０から受信した測定結果報告（ＭＲ）を元にハンドオーバ先となるターゲットセル基地局２０にコアネットワークを介して、ハンドオーバ要求とともに、ハンドオーバする端末３０の情報を送信して設定する。ソースセル基地局１０は、ターゲットセル基地局２０からハンドオーバ要求応答を受信したら、端末３０が自局との通信を切断するようにセル移動のハンドオーバ指示（ＨＯ  Ｃｏｍｍａｎｄ）を端末３０に送信する。ハンドオーバ指示を受けた端末３０は、ハンドオーバ先のターゲットセル基地局２０にハンドオーバ完了を送信してターゲットセル基地局２０との通信を開始することにより、ハンドオーバを完了する。
【００３９】
上記ハンドオーバを行う端末３０は、前述のようにセル１０Ａとセル２０Ａとのセル境界エリアに位置しているため、ターゲットセル基地局２０から送信された下りの無線信号を干渉信号（干渉波）として受信するおそれがある。このようなターゲットセル２０Ａからソースセル１０Ａへの干渉があると、下りリンク（ＤＬ）の信号（例えば、前述のデータ信号や制御信号）が受信できず、ハンドオーバに失敗するおそれがある。このハンドオーバの失敗を回避するために上記閾値Ｔｈ（ＨＯ）の値を小さく設定して緩和すると、ソースセル１０Ａの参照信号受信電力（ＲＳＲＰ）とターゲットセル２０Ａの参照信号受信電力（ＲＳＲＰ）とが拮抗し、ハンドオーバを繰り返すピンポン・ハンドオーバ現象が発生し、システムへの負荷増大及び不要なハンドオーバが発生するおそれがある。このようなハンドオーバの失敗やピンポン・ハンドオーバ現象について本願発明者らが検討した結果、上記ハンドオーバ開始判定処理を行っているときにターゲットセル基地局２０から送信される下りリンクの参照信号以外の信号（例えば、前述のデータ信号や制御信号）がソースセル１０Ａの下りリンクの信号（例えば、前述のデータ信号や制御信号）に与える干渉が大きく影響していることがわかった。そこで、本実施形態では、以下に示すように上記ハンドオーバ判定処理時におけるターゲットセル基地局２０からの信号の送信を制御することにより、ターゲットセル２０Ａからソースセル１０Ａへの干渉に起因したハンドオーバ失敗やピンポン・ハンドオーバ現象を防止している。
【００４０】
また、上記ハンドオーバ失敗やピンポン・ハンドオーバ現象を防止するためのターゲットセル基地局２０からの信号送信の制御を、端末３０からの測定結果報告（ＭＲ）に基づいて行う場合、更に次のような課題があることがわかった。すなわち、上記ターゲットセル基地局２０や他の周辺セルの基地局から送信された干渉信号（干渉波）が強くなると、ソースセル１０Ａに接続している端末３０の通信環境が劣化してソースセル基地局１０と端末３０との通信が切断してしまうおそれがある。このように端末３０との通信が切断してしまうと、ソースセル基地局１０は、端末３０から測定結果報告（ＭＲ）を受信することができず、上記ハンドオーバ失敗やピンポン・ハンドオーバ現象を防止するためのターゲットセル基地局２０からの信号送信の制御を行うことができない。そこで、本実施形態では、以下に示すように上記ハンドオーバ判定処理時においてソースセル基地局１０が、周辺セル情報に基づいて、端末３０による測定結果報告（ＭＲ）の送信タイミングを規定する通信品質閾値を決定し、その決定した通信品質閾値を端末３０に送信している。これにより、周辺セルからの干渉による端末３０の通信環境の劣化に起因した通信切断を防止し、ターゲットセル基地局２０からの信号送信制御の判定に用いる端末３０からの測定結果報告（ＭＲ）を確実に受信できるようにしている。
【００４１】
以下、本実施形態に係る移動通信システムにおけるハンドオーバ制御について説明する。
図６（ａ）は、本実施形態に係る移動通信システムにおけるハンドオーバ制御の一例を示すシーケンス図であり、図６（ｂ）は、図６（ａ）のハンドオーバ制御時のソースセル１０Ａ及びターゲットセル２０Ａそれぞれから受信した参照信号の受信電力（ＲＳＲＰ）の時間変化の一例を示すグラフである。なお、図６（ａ）及び（ｂ）において、前述の図５（ａ）及び（ｂ）と共通する部分については説明を省略する。
【００４２】
図６において、ソースセル基地局１０は、周辺セル情報に基づいて、端末３０による測定結果報告（ＭＲ）の送信タイミングを規定する第１通信品質閾値Ｔｈ０を決定し、その決定した第１通信品質閾値Ｔｈ０を端末３０に送信する。ここで、第１通信品質閾値Ｔｈ０の決定に用いる周辺セル情報としては、例えば端末３０から受信済みの直近の測定結果報告（ＭＲ）に含まれる周辺セル情報（例えば、周辺セルのセル識別情報や周辺セルの参照信号の受信電力（ＲＳＲＰ））を用いることができる。また、第１通信品質閾値Ｔｈ０としては、従来のハンドオーバ開始判断の際の閾値を設定するＬＴＥのパラメータである「Ａ２ｔｈｒｅｓｈｏｌｄ」を流用してもよい。
【００４３】
上記ソースセル基地局１０による第１通信品質閾値Ｔｈ０の決定は、例えば次のように行う。ソースセル基地局１０は、周辺セル情報に基づいて端末３０の通信環境が劣化していると判断した場合すなわち図中の端末３０で測定された第１通信品質（以下「端末通信品質」ともいう。）としての参照信号受信品質（ＲＳＲＱ）が破線から実線に劣化していると判断した場合、通信が切断する前に端末３０が測定結果報告（ＭＲ）を早めに送信するように第１通信品質閾値Ｔｈ０として通常値よりも高い値を決定する。
【００４４】
上記ソースセル基地局１０が決定した第１通信品質閾値Ｔｈ０を受信した端末３０は、その端末３０で測定された第１端末通信品質としての参照信号受信品質（ＲＳＲＱ）が第１通信品質閾値Ｔｈ０未満（又は第１通信品質閾値Ｔｈ０以下）になったときに、測定結果報告（ＭＲ）をソースセル基地局１０に送信する。また、端末３０は、測定結果報告（ＭＲ）を送信した後、チャネル品質情報（ＣＱＩ）を含む通信品質情報を定期的にソースセル基地局１０に送信（フィードバック）する。
【００４５】
次に、ソースセル基地局１０は、端末３０から受信した通信品質情報に基づいて、第１通信品質としての参照信号受信品質（ＲＳＲＱ）よりも測定精度が高い第２通信品質としてのＳＩＮＲ値と、第２通信品質閾値としての第４閾値Ｔｈ４とを比較する。ここで、上記第２通信品質としてのＳＩＮＲの値は、例えば、端末３０から受信した通信品質情報に含まれるチャネル品質情報（ＣＱＩ）の値と、ＯＬＬＡ（Ｏｕｔｅｒ  Ｌｏｏｐ  Ｌｉｎｋ  Ａｄａｐｔａｔｉｏｎ）と呼ばれる制御におけるデータ通信の受信に関する受信成功／失敗情報とに基づいて、推定することができる。
【００４６】
次に、ソースセル基地局１０は、端末３０におけるソースセル基地局１０からの下りリンク信号の受信品質の指標値である第２通信品質としてのＳＩＮＲ値が所定の第２通信品質閾値としての第４閾値Ｔｈ４より低下したとき（又は閾値Ｔｈ４以下になったとき）、上記受信電力差ΔＳに基づく判定を行うことなく、ターゲットセル基地局２０からの下りリンク信号の送信停止を指示する下りリンク信号送信停止要求をターゲットセル基地局２０等の周辺基地局に送信する。下りリンク信号送信停止要求を送信する周辺基地局は、例えば端末３０から受信した測定結果報告（ＭＲ）に含まれる情報に基づいて決定される。
【００４７】
ターゲットセル基地局２０は、ソースセル基地局１０から受信した下りリンク信号送信停止要求に基づいて、ターゲットセル基地局２０からの下りリンク信号の送信停止を開始する。
【００４８】
上記ターゲットセル基地局２０からの下りリンク信号の送信停止を開始した後、ソースセル基地局１０は、ハンドオーバ開始判定処理を開始し、端末３０から受信した測定結果報告（ＭＲ）に基づき、前述の受信電力差ΔＳが所定の第２閾値Ｔｈ（ＨＯ）を超えたか（又は第２閾値Ｔｈ（ＨＯ）以上になったか）を監視する。
【００４９】
ソースセル基地局１０は、受信電力差ΔＳが第２閾値Ｔｈ（ＨＯ）を超えた場合（又は第２閾値Ｔｈ（ＨＯ）以上になった場合）、ターゲットセル基地局２０にハンドオーバ要求を送信し、ターゲットセル基地局２０からハンドオーバ要求応答を受信したら、ハンドオーバ指示（ＨＯ  Ｃｏｍｍａｎｄ）を端末３０に送信する。ハンドオーバ指示を受けた端末３０は、ハンドオーバ先のターゲットセル基地局２０にハンドオーバ完了を送信してターゲットセル基地局２０との通信を開始することにより、ハンドオーバを完了する。
【００５０】
ターゲットセル基地局２０は、端末３０の自局２０のセル２０Ａへのハンドオーバが完了したら、下りリンク信号の送信を再開する。ここで、ターゲットセル基地局２０は、自局に複数の端末が接続され、その複数の端末について下りリンク信号が送信停止されている場合、その複数の端末の全体ではなく、複数の端末のうちハンドオーバ処理が完了した端末３０に割り当てられている無線リソースについて下りリンク信号の送信停止を終了して下りリンク信号の送信を再開してもよい。
【００５１】
図６の制御例によれば、ハンドオーバ開始判定処理時にターゲットセル基地局２０からの信号の送信が停止されているため、ターゲットセル２０Ａからの下りリンク信号の干渉を受けることなく、通信品質を維持したまま受信電力差が確実に生じてからハンドオーバが実行できるため、ピンポン・ハンドオーバ現象が発生することなく、端末３０のハンドオーバ開始を判定することができる。
しかも、上記ハンドオーバ判定処理時においてソースセル基地局１０が、周辺セル情報に基づいて通信品質閾値Ｔｈ０を決定して端末３０に送信することにより、周辺セルからの干渉による端末３０の通信環境の劣化に起因した通信切断を防止できる。従って、ソースセル基地局１０は、ターゲットセル基地局２０からの信号送信制御の判定に用いる端末３０からの測定結果報告（ＭＲ）及び通信品質情報（ＣＱＩ）を確実に受信できる。
よって、ソースセル（サービングセル）に対する周辺セルからの干渉による移動局の通信環境の劣化に起因した通信切断を防止するとともに、その周辺セルからの干渉に起因したハンドオーバ失敗やピンポン・ハンドオーバ現象を確実に防止することができる。
【００５２】
特に、端末３０による測定結果報告（ＭＲ）の送信タイミングの判定に用いる通信品質が、周辺セルからの干渉に起因した通信環境の劣化を直接的に反映する参照信号受信品質（ＲＳＲＱ）であるため、端末３０の通信切断が発生する前に端末３０からの測定結果報告（ＭＲ）をより確実に受信できる。
【００５３】
なお、図６の制御例では、ターゲットセル基地局２０からの下りリンク信号の送信停止を行うか否かの判定に、上記端末３０におけるソースセル基地局１０からの下りリンク信号の第２通信品質（例えば、ＳＩＮＲ値）のみを用いているが、その第２通信品質を優先的に用いつつ次に示す受信電力差ΔＳを更に用いてもよい。例えば、ソースセル基地局１０は、第２通信品質としてのＳＩＮＲ値が第４閾値Ｔｈ４以上（又は第４閾値Ｔｈ４よりも大きい）場合に、端末３０から受信した測定結果報告（ＭＲ）に基づき、ターゲットセル基地局２０から送信した参照信号の受信電力（ＲＳＲＰ）：Ｓ２と、自局（第１基地局）１０から送信した参照信号の受信電力（ＲＳＲＰ）：Ｓ１とを比較する。この両方の受信電力の差分である受信電力差ΔＳ（＝Ｓ２−Ｓ１）が所定の第１閾値Ｔｈ１を超えた（又は第１閾値Ｔｈ１以上になった）場合、ソースセル基地局１０は、両方の受信電力Ｓ１，Ｓ２が拮抗してきたと判断し、ターゲットセル基地局２０からの下りリンク信号の送信停止を指示する下りリンク信号送信停止要求をターゲットセル基地局２０に送信する。なお、第１閾値Ｔｈ１を設定するパラメータしては、従来のハンドオーバ開始判断の際の閾値を設定するパラメータである「Ａ３ｏｆｆｓｅｔ」を流用してもよい。
【００５４】
図７は、本実施形態に係る移動通信システムにおけるハンドオーバ制御の他の例を示すシーケンス図である。なお、図７において、前述の図５（ａ）及び図６（ａ）と共通する部分については説明を省略する。
図７の制御例において、ソースセル基地局１０は、信号送信停止要求をターゲットセル基地局２０に送信するとき、ターゲットセル基地局２０において信号の送信を停止するリソースブロック（ＲＢ）の候補及び信号の送信を停止する送信停止要求時間の少なくとも一方を指定するようにターゲットセル基地局２０に通知する。ここで、信号の送信を停止するリソースブロック（ＲＢ）の候補は、任意の時間、周波数範囲であってよい。
【００５５】
なお、図７の例では、信号の送信を停止するリソースブロック（ＲＢ）の候補及び送信停止要求時間の両方を指定するように通知しているが、リソースブロック（ＲＢ）の候補及び送信停止要求時間のいずれか一方を指定するように通知してもよい。また、リソースブロック（ＲＢ）の候補は、信号停止に用いる１サブフレーム当たりのＲＢの個数などの無線リソース量でもよいし、無線リソースにおける下りリンク信号停止に用いるＲＢの識別情報（例えば、無線リソース上の何番目のＲＢであるかを識別可能な情報）であってもよい。
【００５６】
ターゲットセル基地局２０は、ソースセル基地局１０から受信した通知情報に基づいて、信号の送信を停止するリソースブロック（ＲＢ）及び前記下りリンク信号の送信を停止する送信停止時間の少なくとも一方を決定し、決定した情報をソースセル基地局１０に通知する。ここで、ターゲットセル基地局２０が決定する信号の送信を停止するリソースブロック（ＲＢ）は、周波数軸上で連続するリソースブロックであってもよいし、周波数軸上で非連続のリソースブロックであってもよい。
【００５７】
ソースセル基地局１０は、ターゲットセル基地局２０が下りリンク信号の送信を停止しているリソースブロック（ＲＢ）を使用して、ターゲットセル２０Ａへのハンドオーバを要求するハンドオーバコマンドを端末３０に送信する。このように信号の送信を停止しているリソースブロックを用いてハンドオーバコマンドを端末３０に送信することにより、ターゲットセル２０Ａの信号の干渉の影響を受けることなく端末３０と通信することができる。
【００５８】
なお、図７の例では、下りリンク信号の送信を停止するリソースブロック（ＲＢ）及び送信停止要求時間の両方を決定しているが、リソースブロック（ＲＢ）及び送信停止要求時間のいずれか一方を決定して他方として初期値を用いてもよい。また、ターゲットセル基地局２０が決定する信号の送信を停止するリソースブロック（ＲＢ）は、信号送信停止の制御が簡易になるように周波数軸上で連続するリソースブロックであってもよいし、周波数ダイバーシティを確保するために周波数軸上で非連続のリソースブロックであってもよい。
【００５９】
図８（ａ）は、本実施形態に係る移動通信システムにおけるハンドオーバ制御の他の例を示すシーケンス図であり、図８（ｂ）は、図８（ａ）のハンドオーバ制御時のソースセル１０Ａ及びターゲットセル２０Ａそれぞれから受信した参照信号の受信電力（ＲＳＲＰ）の時間変化の一例を示すグラフである。図８の例は、端末３０がセル境界エリアからターゲットセル２０Ａ内に入らず、セル境界エリア付近を移動している場合の制御例である。なお、図８（ａ）及び（ｂ）において、前述の図５及び図６と共通する部分については説明を省略する。
【００６０】
図８において、ソースセル基地局１０は、信号送信停止要求をターゲットセル基地局２０に送信した後、上記受信電力差ΔＳが第１閾値Ｔｈ１を超えない（又は第１閾値Ｔｈ１以上にならない）ためハンドオーバ要求をターゲットセル基地局２０に送信しない。そのため、端末３０のハンドオーバが実行されない。
【００６１】
ソースセル基地局１０は、上記信号送信停止要求をターゲットセル基地局２０に送信した時点からの経過時間をタイマーで計測し、ハンドオーバが発生することなく所定時間Ｔｔｈ１経過したとき、ターゲットセル基地局２０からの信号の送信停止の終了を指示する送信停止終了要求を第２基地局に送信する。ターゲットセル基地局２０は、ソースセル基地局１０から受信した送信停止終了要求に基づいて、停止していた信号の送信を再開する。ここで、ターゲットセル基地局２０は、自局に複数の端末が接続され、その複数の端末について下りリンク信号が送信停止されている場合、その複数の端末の全体ではなく、複数の端末のうち下りリンク信号の送信停止開始から所定時間Ｔｔｈ１が経過した端末に割り当てられている無線リソースについて下りリンク信号の送信停止を終了して下りリンク信号の送信を再開してもよい。
【００６２】
なお、後述の図１４に示すように、ターゲットセル基地局２０は、上記信号の送信停止を開始した時点からの経過時間をタイマーで計測し、ハンドオーバが発生することなく所定時間Ｔｔｈ１経過したとき、停止していた信号の送信を再開するようにしてもよい。
【００６３】
図９（ａ）は、本実施形態に係る移動通信システムにおけるハンドオーバ制御の更に他の例を示すシーケンス図であり、図９（ｂ）は、図９（ａ）のハンドオーバ制御時のソースセル１０Ａ及びターゲットセル２０Ａそれぞれから受信した参照信号の受信電力（ＲＳＲＰ）の時間変化の一例を示すグラフである。図９の例は、端末３０がセル境界エリアからターゲットセル２０Ａ内に入らず、ソースセル１０Ａ内に戻る場合の制御例である。なお、図９（ａ）及び（ｂ）において、前述の図５及び図６と共通する部分については説明を省略する。
【００６４】
図９において、ソースセル基地局１０は、下りリンク信号送信停止要求をターゲットセル基地局２０に送信した後、上記受信電力差ΔＳが第１閾値Ｔｈ１を超えない（又は第１閾値Ｔｈ１以上にならない）ためハンドオーバ要求をターゲットセル基地局２０に送信しない。そのため、端末３０のハンドオーバが実行されない。本例では、ハンドオーバ開始判定処理が開始された後、端末３０がソースセル１０Ａ側に戻るため、ソースセル基地局１０からの参照信号の受信電力（ＲＳＲＰ）が上昇し、ターゲットセル基地局２０からの参照信号の受信電力（ＲＳＲＰ）が低下している。そのため、ハンドオーバが発生することなく上記受信電力差ΔＳが小さくなっていく。
【００６５】
ソースセル基地局１０は、上記下りリンク信号送信停止要求をターゲットセル基地局２０に送信した後、上記受信電力差ΔＳが所定の第３閾値Ｔｈ３を下回った場合（又は第３閾値Ｔｈ３以下になった）場合、ターゲットセル基地局２０からの信号の送信停止の終了を指示する送信停止終了要求をターゲットセル基地局２０に送信する。ターゲットセル基地局２０は、ソースセル基地局１０から受信した送信停止終了要求に基づいて、ターゲットセル基地局２０からの信号の送信を再開する。ここで、ターゲットセル基地局２０は、自局に複数の端末が接続され、その複数の端末について下りリンク信号が送信停止されている場合、その複数の端末の全体ではなく、複数の端末のうち受信電力差ΔＳが所定の第３閾値Ｔｈ３を下回った（又は第３閾値Ｔｈ３以下になった）端末に割り当てられている無線リソースについて下りリンク信号の送信停止を終了して下りリンク信号の送信を再開してもよい。
【００６６】
なお、上記ハンドオーバを実行しない場合のターゲットセル基地局２０からの信号の送信再開は、端末３０におけるソースセル基地局１０からの下りリンク信号の第２通信品質（例えば、ＳＩＮＲ値）の予測結果に基づいて判定してもよい。例えば、ターゲットセル基地局２０からの信号の送信が再開されたときの端末３０でのソースセル基地局１０からの下りリンク信号に対する干渉が小さく通信品質が高くなると予想される場合は、端末３０は隣接セルからの干渉を受けることなくソースセル１０Ａにおいて継続して通信可能である。このターゲットセル基地局２０からの信号の送信が再開されたときの干渉を反映した端末３０における第２通信品質（例えば、ＳＩＮＲ値）γは、ターゲットセル基地局２０からの信号の送信停止中に端末３０において測定される第１基地局２０からの下りリンク信号の第２通信品質（例えば、ＳＩＮＲ値）を補正して予測可能である。
【００６７】
例えば、上記信号送信再開時の端末３０におけるソースセル１０Ａからの第２通信品質の指標値としてのＳＩＮＲ値γは、次式（１）を用いて計算して予測することができる。ここで、式（１）中のＳはソースセル１０Ａからの受信電力であり、Ｉｊはターゲットセル２０を含む隣接セルからの受信電力であり、Ｎは隣接セルの数であり、Ｎ０はノイズである。
【数１】
2018037871.tif 000003
【００６８】
そして、次の式（２）に示すように、上記ＳＩＮＲ値γが所定の第５閾値Ｔｈ５よりも大きい場合（第５閾値Ｔｈ５以上の場合）に、ソースセル基地局１０からターゲットセル基地局２０に下りリンク信号の送信を再開するように指示してもよい。ここで、ターゲットセル基地局２０は、自局に複数の端末が接続され、その複数の端末について下りリンク信号が送信停止されている場合、その複数の端末の全体ではなく、複数の端末のうち上記ＳＩＮＲ値γが所定の第５閾値Ｔｈ５よりも大きい（第５閾値Ｔｈ５以上の）端末に割り当てられている無線リソースについて下りリンク信号の送信停止を終了して下りリンク信号の送信を再開してもよい。
【００６９】
図１０〜図１２は、本実施形態に係る移動通信システムのソースセルの第１基地局におけるハンドオーバ時の制御例を示すフローチャートである。
図１０において、端末３０は、ソースセル１０Ａ及びターゲットセル２０Ａそれぞれからの受信電力Ｓ１，Ｓ２を計測しており、その受信電力差ΔＳ（＝Ｓ２−Ｓ１）がΔ＞Ｔｈ１（＝Ａ３ｏｆｆｓｅｔを満たした場合、Ｍｅａｓｕｒｅｍｅｎｔ  Ｒｅｐｏｒｔ（ＭＲ）をソースセル基地局１０へ定期的に送信する（Ｓ１０１）。また、端末３０は、ソースセル基地局１０から第１通信品質閾値Ｔｈ０を受信した後、端末３０で測定された第１端末通信品質としての参照信号受信品質（ＲＳＲＱ）が第１通信品質閾値Ｔｈ０未満（又は第１通信品質閾値Ｔｈ０以下）になった後、測定結果報告（ＭＲ）をソースセル基地局１０に送信（フィードバック）する。更に、端末３０は、測定結果報告（ＭＲ）を送信した後、ＣＱＩを含む通信品質情報をソースセル基地局１０に送信（フィードバック）する。ソースセル基地局１０は、上記受信電力Ｓ１，Ｓ２の情報を含むＭＲと上記ＣＱＩを含む通信品質情報とを端末３０から受信した場合、Ｓ１０２の判定へと遷移する。
【００７０】
次に、ソースセル基地局１０は、ＭＲ及びＣＱＩを送信してきた端末の端末ＩＤが自局のメモリ内に存在しているか否か判定を行う（Ｓ１０２）。ここで、端末ＩＤがメモリ内に存在している場合（Ｓ１０２でＮｏ）は、ターゲットセル基地局２０へ信号送信停止を指示できないようにするため、後述の図１２の処理へ遷移する。一方、端末ＩＤがメモリ内に存在していない場合（Ｓ１０２でＹｅｓ）は、次のＳ１０３の判定へと遷移する。
【００７１】
次に、ソースセル基地局１０は、ターゲットセル２０Ａの信号の送信が停止しているか判定を行う（Ｓ１０３）。ここで、信号の送信が停止されていない場合（Ｓ１０３でＮｏ）は、ターゲットセル基地局２０に対して下りリンク信号の送信停止を要求するため、Ｓ１０４の判定へと遷移する。一方、信号の送信が停止していた場合（Ｓ１０３でＹｅｓ）は、ソースセル基地局１０は、信号の送信再開の判定を行うため、Ｓ１１０の判定へと遷移する。
【００７２】
ステップＳ１０４において、ソースセル基地局１０は、端末３０から受信した通信品質情報に含まれるＣＱＩに基づいて、端末３０における下りリンク信号の第２通信品質の指標値であるＳＩＮＲの値がＳＩＮＲ＜Ｔｈ４を満たすか判定を行う。ここで、ＳＩＮＲの値が第２通信品質閾値としての第４閾値Ｔｈ４を下回る場合（Ｓ１０４でＹｅｓ）、通信品質は不十分であると判断でき、Ｓ１０６へと遷移し、端末３０から受信したＭＲに基づいて特定されるターゲットセル基地局２０等の周辺基地局に対して信号の送信停止を指示する。一方、ＳＩＮＲの値が第４閾値Ｔｈ４以上の場合（Ｓ１０４でＮｏ）、Ｓ１０５の判定へと遷移する。
【００７３】
ステップＳ１０５において、ソースセル基地局１０は、上記ＭＲ内の情報に基づき、ソースセル１０Ａ及びターゲットセル２０Ａそれぞれからの受信電力Ｓ１，Ｓ２の受信電力差ΔＳ（＝Ｓ２−Ｓ１）を算出し、受信電力差ΔＳ＞Ｔｈ１の判定式を満たすか判定を行う。受信電力差ΔＳが第１閾値Ｔｈ１を超えていた場合（Ｓ１０５でＹｅｓ）は、ターゲットセル基地局２０に対して信号の送信停止を指示する（Ｓ１０６）。一方、受信電力差ΔＳが第１閾値Ｔｈ１を超えていない場合（Ｓ１０５でＮｏ）は、      
【００７４】
ターゲットセル基地局２０等の周辺基地局における信号の送信停止を行う必要がないと判断でき、次回の通信品質（ＣＱＩ）及びＭＲの受信まで待機する。
【００７５】
ソースセル基地局１０は、ターゲットセル基地局２０に対して信号の送信停止を指示するとき（Ｓ１０６）、その信号の送信を停止する送信停止対象のリソースブロック（ＲＢ）数と送信停止時間とを指示する（Ｓ１０７）。その後、ソースセル基地局１０は、ターゲットセル基地局２０が決定した信号の送信停止に使用すべきＲＢ番号の指示を受信し、その受信と同時にタイマーｔｓを初期化し、経過時間のカウントをスタートする（Ｓ１０８）。
【００７６】
なお、上記ステップＳ１０１において、ソースセル基地局１０は、端末３０からのＭＲ及び通信品質情報（ＣＱＩ）の受信を確認できなかった場合（Ｓ１０１でＮｏ）、ターゲットセル基地局２０からの信号の送信状態を判定する（Ｓ１０９）。ここで、ターゲットセル基地局２０からの信号の送信が停止している場合（Ｓ１０９でＹｅｓ）、その信号の送信再開のための判定と遷移する。
【００７７】
また、上記ステップＳ１１０において、ソースセル基地局１０は、ＭＲ内の情報に基づき、ソースセル１０Ａ及びターゲットセル２０Ａそれぞれからの受信電力Ｓ１，Ｓ２の受信電力差ΔＳ（＝Ｓ２−Ｓ１）が、ΔＳ＞Ｔｈ２（ＨＯ）の判定式を満たすか判定を行う。ここで、受信電力差ΔＳが第２閾値Ｔｈ２（ＨＯ）よりも大きい場合（Ｓ１１０でＹｅｓ）、即時ハンドオーバを実行し（Ｓ１１１）、ハンドオーバ終了後、下りリンク信号の送信再開の指示をターゲットセル基地局２０に送信する（Ｓ１１２）。一方、受信電力差ΔＳが第２閾値Ｔｈ２（ＨＯ）以下の場合（Ｓ１１０でＮｏ）、Ｓ１１３の判定へと遷移する。
【００７８】
上記ステップＳ１１３において、ソースセル基地局１０は、ＭＲ内の情報に基づき、受信電力差ΔＳが、ΔＳ＜Ｔｈ３の判定式を満たすか判定を行う。ここで、受信電力差ΔＳが第３閾値Ｔｈ３よりも小さい場合（Ｓ１１３でＹｅｓ）、ハンドオーバの発生確率が低下したと想定でき、信号の送信再開の指示をターゲットセル基地局２０に送信する（Ｓ１１２）。一方、受信電力差ΔＳが第３閾値Ｔｈ３以上の場合（Ｓ１１３でＮｏ）Ｓ１１４の判定へと遷移する。
【００７９】
ターゲットセル基地局２０が信号の送信を停止しているため、端末３０における通信品質が上昇している。そこで、上記Ｓ１１４において、ソースセル基地局１０は、ＭＲに基づき、ターゲットセル基地局２０が下りリンク信号を送信している場合での第２通信品質の指標値としての前述のＳＩＮＲ値γを予測し、γ＞Ｔｈ５を満たすか判定を行う（Ｓ１１４）。ここで、ＳＩＮＲ値γの予測結果が第５閾値Ｔｈ５を超えていた場合（Ｓ１１４でＹｅｓ）、ソースセル基地局１０は、ターゲットセル基地局２０から下りリンク信号を送信しても通信品質は十分に維持されると判断し、データ慎吾の送信再開の指示をターゲットセル基地局２０に対して送信する（Ｓ１１２）。一方、ＳＩＮＲ値γの予測結果が第５閾値Ｔｈ５以下の場合（Ｓ１１４でＮ０）、図１１の制御と遷移する。
【００８０】
上記ステップＳ１１０、Ｓ１１３及びＳ１１４の判定のいずれも条件を満たさない場合、図１１に示すように、ソースセル基地局１０は、タイマーｔｓの判定を行う（Ｓ１２０）。ここで、ｔｓ＞Ｔｔｈ１を満たしている場合（Ｓ１２０でＹｅｓ）、ソースセル基地局１０は、タイマーｔｓが第１時間閾値Ｔｔｈ１を超えるまでハンドオーバしなかった端末３０の端末ＩＤを記録し、第２のタイマーｔｉｇｎｏｒｅを開始し（Ｓ１２１）、ターゲットセル基地局２０に対して下りリンク信号の送信再開の指示を送信する（Ｓ１２２）。一方、ｔｓ＞Ｔｔｈ１を満たしていない場合（Ｓ１２０でＮｏ）、タイマーｔｓを所定時間Δｔ（例えば１ｍｓ）だけインクリメントして最初に戻る（Ｓ１２３）。
【００８１】
また、上記ステップＳ１０２において、ＭＲ及び通信品質情報（ＣＱＩ）を送信した端末３０の端末ＩＤがメモリー内に存在した場合（Ｓ１０２でＮｏ）、ターゲットセル基地局２０に対して下りリンク信号の送信停止を指示できないようにする必要がある。しかし、ハンドオーバの判定は行う必要があるため、図１２に示すように、ソースセル基地局１０は、ＭＲ内の情報に基づき、ソースセル１０Ａ及びターゲットセル２０Ａそれぞれからの受信電力Ｓ１，Ｓ２の受信電力差ΔＳが、ΔＳ＞Ｔｈ２（ＨＯ）の判定式を満たすか判定を行う（Ｓ１３０）。ここで、ΔＳ＞Ｔｈ２（ＨＯ）を満たしている場合（Ｓ１３０でＹｅｓ）、即時ハンドオーバを実行し（Ｓ１３１）、ハンドオーバ終了後メモリ内から該当する端末ＩＤを消去する（Ｓ１３２）。一方、ΔＳ＞Ｔｈ２（ＨＯ）を満たしていない場合すなわちハンドオーバが発生しない場合（Ｓ１３０でＮｏ）、Ｓ１３３の判定へと遷移する。
【００８２】
上記ステップＳ１３３において、ソースセル基地局１０は、タイマーｔｉｇｎｏｒｅがｔｉｇｎｏｒｅ＞Ｔｔｈ２を満たすか否かの判定を行う。ここで、ｔｉｇｎｏｒｅ＞Ｔｔｈ２を満たしている場合すなわちタイマーｔｉｇｎｏｒｅが第２時間閾値Ｔｔｈ２を経過した場合（Ｓ１３３でＹｅｓ）は、メモリ内から該当する端末ＩＤを消去する（Ｓ１３４）。一方、ｔｉｇｎｏｒｅ＞Ｔｔｈ２を満たしていない場合（Ｓ１３３でＮｏ）は、タイマーｔｉｇｎｏｒｅを所定時間Δｔ（例えば１ｍｓ）だけインクリメントする。
【００８３】
図１３は、図１０〜図１２に示したソースセルの第１基地局におけるハンドオーバ時の制御例の一部の変形例を示すフローチャートである。図１３の制御例は、前述の図１０のＳ１０１とＳ１０２との間に挿入されて実行される。
図１３において、ソースセル基地局１０は、端末３０からＭＲ及び通信品質情報を受信した後（Ｓ１０１でＹｅｓ）、通信品質情報に含まれるＣＱＩから算出される第２通信品質としての通信品質Ｑ１（例えばＳＩＮＲ値）が所定の閾値Ｔｈｒ６を下回っているか否かを判断する（Ｓ１４０）。通信品質Ｑ１が閾値Ｔｈｒ６を下回っている場合（Ｓ１４０でＹｅｓ）、即時ハンドオーバを実行する（Ｓ１４１）。そして、ハンドオーバ終了後、ターゲットセル基地局２０が下りリンク信号の送信を停止している場合（Ｓ１４２でＹｅｓ）は、下りリンク信号の送信再開の指示をターゲットセル基地局２０に送信する（Ｓ１４３）。一方、通信品質Ｑ１が閾値Ｔｈｒ６を下回っていない場合（Ｓ１４０でＮｏ）、図１０のＳ１０２の判定へと遷移する。
【００８４】
図１３の制御例によれば、端末３０における通信品質Ｑ１が閾値Ｔｈｒ６を下回っている場合にハンドオーバを速やかに実行することにより、端末３０の通信の切断を回避することができる。なお、図１３の制御例のＳ１４０では、通信品質Ｑ１が閾値Ｔｈｒ６を下回っているか否かを判断しているが、通信品質Ｑ１が閾値Ｔｈｒ６以下であるか否かを判断してもよい。
【００８５】
図１４は、本実施形態に係る移動通信システムのターゲットセル基地局２０におけるハンドオーバ時の制御例の主要部を示すフローチャートである。
図１４において、ターゲットセル基地局２０は、ソースセル基地局１０から下りリンク信号の送信停止を指示する送信停止開始要求を受信したか否かを判定する（Ｓ２０１）。送信停止開始要求を受信した場合（Ｓ２０１でＹｅｓ）、ターゲットセル基地局２０は、ソースセル基地局１０から送信停止開始要求とともに受信した情報（例えば、信号の送信を停止するリソースブロック（ＲＢ）の候補及び送信停止要求時間）に基づき、信号の送信を停止する送信停止ＲＢ番号及び送信停止時間を決定する（Ｓ２０２）。
【００８６】
次に、ターゲットセル基地局２０は、上記決定した送信停止ＲＢ番号及び送信停止時間をソースセル基地局１０に通知し（Ｓ２０３）、上記決定した送信停止ＲＢにおける信号の送信停止を開始する（Ｓ２０４）とともに、タイマーｔｔを初期化し、経過時間のカウントをスタートする（Ｓ２０５）。その後、ターゲットセル基地局２０は、信号の送信を再開するための判定へと遷移する。
【００８７】
ターゲットセル基地局２０は、ソースセル基地局１０から下りリンク信号の送信停止終了要求を受信したか否かを判定し（Ｓ２０６）、送信停止終了要求を受信した場合（Ｓ２０６でＹｅｓ）、信号の送信を再開する（Ｓ２０７）。一方、送信停止終了要求が受信されていない場合（Ｓ２０６でＮｏ）、Ｓ２０８の判定に遷移する。
【００８８】
上記送信停止終了要求が受信されていない場合、ターゲットセル基地局２０は、自身のタイマーｔｔのカウント値に基づいて、下りリンク信号の送信停止開始から所定時間Ｔｔｈ１経過したか否か、すなわちｔｔ＞Ｔｔｈ１を満たしているか否かを判定する（Ｓ２０８）。ここで、信号の送信停止開始から所定時間Ｔｔｈ１経過した場合（ｔｔ＞Ｔｔｈ１を満たした場合）（Ｓ２０８でＹｅｓ）、ターゲットセル基地局２０は信号の送信を再開する（Ｓ２０７）。一方、信号の送信停止開始から所定時間Ｔｔｈ１経過していない場合（ｔｔ＞Ｔｔｈ１を満たしていない場合）（Ｓ２０８でＮｏ）、ターゲットセル基地局２０は、タイマーｔｔを所定時間Δｔ（例えば１ｍｓ）だけインクリメントしてステップ２０６に戻る（Ｓ２０９）。
【００８９】
以上、本実施形態によれば、ソースセル１０Ａからターゲットセル２０Ａへのハンドオーバ開始を判定するハンドオーバ判定処理時に、そのハンドオーバ判定処理に用いられるソースセル１０Ａにおける下りリンク信号に干渉するおそれがあるターゲットセル基地局２０からの下りリンク信号の送信を停止している。これにより、ターゲットセル２０Ａからの下りリンク信号の干渉を受けることなく、通信品質が低下することなく、受信電力差が十分に生じた後、ソースセル１０Ａからのハンドオーバ開始を適切に判定できるようになる。従って、端末３０がハンドオーバしようとしているターゲットセル２０Ａからソースセル１０Ａへの干渉に起因したハンドオーバ失敗やピンポン・ハンドオーバ現象を防止することができる。
しかも、上記ハンドオーバ判定処理時においてソースセル基地局１０が、周辺セル情報に基づいて第１通信品質閾値Ｔｈ０を決定して端末３０に送信することにより、周辺セルからの干渉による端末３０の通信環境の劣化に起因した通信切断を防止できる。従って、ソースセル基地局１０は、ターゲットセル基地局２０からの信号送信制御の判定に用いる端末３０からの測定結果報告（ＭＲ）及び通信品質情報（ＣＱＩ）を確実に受信できる。
よって、ソースセル（サービングセル）に対する周辺セルからの干渉による移動局の通信環境の劣化に起因した通信切断を防止するとともに、その周辺セルからの干渉に起因したハンドオーバ失敗やピンポン・ハンドオーバ現象を確実に防止することができる。
特に、端末３０による測定結果報告（ＭＲ）の送信タイミングの判定に用いる第１通信品質が、周辺セルからの干渉に起因した通信環境の劣化を直接的に反映する参照信号受信品質（ＲＳＲＱ）であるため、端末３０の通信切断が発生する前に端末３０からの測定結果報告（ＭＲ）及び通信品質情報（ＣＱＩ）をより確実に受信できる。
【００９０】
また、本実施形態によれば、端末３０から受信するＭＲに含まれるターゲットセル基地局２０からの参照信号の受信電力Ｓ２とソースセル基地局１０からの参照信号の受信電力Ｓ１とを利用し、その受信電力差ΔＳ（＝Ｓ２−Ｓ１）に基づいてターゲット基地局２０からの信号の送信停止を開始している。このようにＭＲ内の情報を利用することにより、ターゲット基地局２０からの下りリンク信号の送信停止の開始を判定するために、別途情報を所得する必要がない。
【００９１】
また、本実施形態によれば、端末３０におけるソースセル基地局１０からの下りリンク信号の第２通信品質（ＳＩＮＲ）に基づいて、ターゲットセル基地局２０からの下りリンク信号の送信停止を開始している。このターゲットセル２０Ａからソースセル１０Ａへの干渉を反映した第２通信品質（ＳＩＮＲ）により、ソースセル１０Ａへの干渉をより正確に把握してターゲットセル基地局２０からの下りリンク信号の送信停止を開始できるため、ターゲットセル基地局２０における不要な信号送信停止を回避しつつ、ソースセル１０Ａからのハンドオーバ開始をより適切に判定できる。
【００９２】
また、本実施形態によれば、ソースセル基地局１０が下りリンク信号の送信停止を要求する下りリンク信号送信停止要求をターゲットセル基地局２０に送信し、ターゲットセル基地局２０がソースセル基地局１０からの送信停止要求に基づいて下りリンク信号の送信を停止している。このようにソースセル基地局１０からターゲットセル基地局２０に送信される下りリンク信号送信停止要求に基づいて下りリンク信号の送信を停止できるため、ターゲットセル基地局２０で下りリンク信号の送信停止を行うか否かの判定処理を行う必要がない。また、ハンドオーバ開始判定処理を行うソースセル基地局１０が、下りリンク信号の送信停止を行うか否かを判定できるため、ハンドオーバ開始判定処理時にターゲットセル基地局２０からの下りリンク信号の送信をより確実に停止させることができる。
【００９３】
また、本実施形態によれば、ソースセル基地局１０が、端末３０からフィードバックされるターゲットセル基地局２０からの受信電力Ｓ２と、端末３０からフィードバックされるソースセル基地局１０からの受信電力Ｓ１とを比較し、その差分である受信電力差（Ｓ２−Ｓ１）が所定の第１閾値（Ｔｈ１）よりも大きくなる場合又は第１閾値（Ｔｈ１）以上になる場合、すなわちターゲットセル２０Ａからソースセル１０Ａへの干渉が大きくなる場合に、下りリンク信号の送信停止をターゲットセル基地局２０に要求している。これにより、ターゲットセル２０Ａからソースセル１０Ａへの干渉に起因したハンドオーバ失敗やピンポン・ハンドオーバ現象をより確実に防止することができる。
【００９４】
なお、本実施形態において、前記受信電力差（Ｓ２−Ｓ１）が所定の第１閾値（Ｔｈ１）よりも大きくなる場合又は第１閾値（Ｔｈ１）以上となる場合であって、且つ、端末３０からフィードバックされる第２通信品質としてのソースセル基地局１０からの受信品質Ｑ１が所定の第２通信品質閾値としての第４閾値（Ｔｈ４）よりも小さくなる場合又は第４閾値（Ｔｈ４）以下となる場合に、下りリンク信号の送信停止をターゲットセル基地局２０に要求してもよい。この場合は、ターゲットセル２０Ａからソースセル１０Ａへの干渉によるソースセル基地局１０からの受信品質Ｑ１の低下を正確に把握し、その干渉に起因したハンドオーバ失敗やピンポン・ハンドオーバ現象をより確実に防止することができる。
【００９５】
また、本実施形態によれば、前記受信電力差（Ｓ２−Ｓ１）が所定の第１閾値（Ｔｈ１）よりも小さくなる場合又は第１閾値（Ｔｈ１）以下となる場合であって、且つ、端末３０からフィードバックされる第２通信品質としてのソースセル基地局１０からの受信品質Ｑ１が所定の第２通信品質閾値としての第４閾値（Ｔｈ４）よりも小さくなる場合又は第４閾値（Ｔｈ４）以下となる場合に、下りリンク信号の送信停止をターゲットセル基地局２０に要求してもよい。この場合は、受信電力差（Ｓ２−Ｓ１）が小さいにもかかわらずターゲットセル２０Ａからソースセル１０Ａへの干渉によってソースセル基地局１０からの受信品質Ｑ１が低下しているときに、その干渉に起因したハンドオーバ失敗やピンポン・ハンドオーバ現象をより確実に防止することができる。
【００９６】
また、本実施形態において、ソースセル基地局１０は、下りリンク信号の送信停止をターゲットセル基地局２０のみに要求するのではなく、ソースセル基地局１０の周辺に位置する複数の基地局（以下「周辺基地局」という。）に要求してもよい。例えば、ソースセル基地局１０は、端末３０からフィードバックされる前記第１基地局からの受信品質Ｑ１が所定の閾値よりも小さくなる場合又その閾値以下となる場合に、端末３０からフィードバックされる周辺基地局からの受信電力Ｓ２と、端末３０からフィードバックされるソースセル基地局１０からの受信電力Ｓ１とを比較し、その差分（Ｓ２−Ｓ１）が所定の閾値よりも大きくなる場合又はその閾値以上となる複数の周辺基地局のうち、前記差分（Ｓ２−Ｓ１）が大きい順に上位の一又は複数の周辺基地局に対して下りリンク信号の送信停止を要求してもよい。この場合は、ターゲットセル２０Ａを含む複数の周辺セルからソースセル１０Ａへの干渉に起因したハンドオーバ失敗やピンポン・ハンドオーバ現象を防止することができる。
【００９７】
また、本実施形態によれば、ソースセル基地局１０が、前記下りリンク信号の送信を停止するリソースブロックの候補及び前記信号の送信を停止する送信停止要求時間の少なくとも一方をターゲットセル基地局２０に通知している。このリソースブロックの候補の通知により、ソースセル１０Ａへの干渉をより確実に防止できるため、ソースセル１０Ａからのハンドオーバ開始をより適切に判定できる。また、上記送信停止要求時間の通知により、ソースセル基地局１０がハンドオーバ開始判定処理を行う期間にターゲットセル基地局２０からの下りリンク信号の送信をより確実に停止させることができる。
【００９８】
また、本実施形態によれば、ターゲットセル基地局２０が、前記下りリンク信号の送信を停止する無線リソース（例えば、リソースブロック）及び下りリンク信号の送信を停止する送信停止時間の少なくとも一方を決定することにより、ターゲットセルに接続している他の端末との通信状況を考慮してターゲットセル基地局２０からの下りリンク信号の送信を停止できる。
【００９９】
また、本実施形態によれば、ターゲットセル基地局２０が、前記決定した無線リソース（例えば、リソースブロック）及び送信停止時間の少なくとも一方をソース基地局１０に通知することにより、ソースセル基地局１０は、ターゲットセル基地局２０からの下りリンク信号が停止されたリソースブロックを用いて端末３０にハンドオーバコマンドを送信したり、その信号停止時間内にハンドオーバコマンドを送信したりすることが可能になる。また、ソースセル基地局１０は、端末３０に対する下りリンク信号に用いる無線リソースとして、ターゲットセル基地局２０から通知された無線リソース又はそれを一部に含む無線リソースを割り当てることにより、端末３０に対する下りリンク信号の通信品質を高めることができる。
【０１００】
また、本実施形態によれば、前記下りリンク信号の送信を停止するリソースブロックが周波数軸上で連続するリソースブロックである場合、下りリンク信号の送信停止制御が簡易になる。また、前記下りリンク信号の送信を停止するリソースブロックが周波数軸上で非連続のリソースブロックである場合は、周波数ダイバーシティを確保することができる。
【０１０１】
また、本実施形態によれば、ソースセル基地局１０は、ターゲットセル基地局２０が下りリンク信号の送信を停止しているリソースブロックを使用してハンドオーバコマンドを端末３０に送信することにより、ハンドオーバコマンドの送受信エラーの発生を抑制できる。
【０１０２】
また、本実施形態によれば、ソースセル基地局１０は、端末３０における第２通信品質としての通信品質Ｑ１が所定の閾値Ｔｈｒ６を下回っている場合にハンドオーバを速やかに実行することにより、端末３０の通信の切断を回避することができる。
【０１０３】
また、本実施形態によれば、ターゲットセル基地局２０は、ソースセル１０Ａからターゲットセル２０Ａへのハンドオーバ処理が完了したときに下りリンク信号の送信停止を終了することにより、ハンドオーバ完了後のターゲットセル２０Ａにおける周波数利用効率の低下やスループットの低下を防止することができる。
【０１０４】
また、本実施形態によれば、ターゲットセル基地局２０は、自局における信号送信を開始してから所定時間経過したときに下りリンク信号の送信停止を終了することにより、ハンドオーバ完了後のターゲットセル２０Ａにおける周波数利用効率の低下やスループットの低下を防止することができる。特に、端末３０がセル境界エリアを移動する等によってソースセル１０Ａからターゲットセル２０Ａへのハンドオーバが完了しない場合でも、所定経過時間経過時に下りリンク信号の送信停止を終了するため、周波数利用効率の低下やスループットの低下を防止することができる。
【０１０５】
また、本実施形態によれば、ターゲットセル基地局２０は、端末３０におけるターゲット基地局２０からの参照信号の受信電力Ｓ２とソースセル基地局１０から参照信号の受信電力Ｓ１との間の受信電力差ΔＳ（＝Ｓ２−Ｓ１）に基づいて下りリンク信号の送信停止を終了することにより、ハンドオーバ完了後のターゲットセル２０Ａにおける周波数利用効率の低下やスループットの低下を防止することができる。特に、端末３０がセル境界エリアからターゲットセル２０Ａ内に入らずにソースセル１０Ａ側に戻ることによってソースセル１０Ａからターゲットセル２０Ａへのハンドオーバが完了しない場合でも、ソースセル１０Ａ側に戻ることによる受信電力差ΔＳが低下時に下りリンク信号の送信停止を終了するため、周波数利用効率の低下やスループットの低下を防止することができる。
【０１０６】
また、本実施形態によれば、ターゲットセル基地局２０は、端末３０におけるソースセル基地局１０からの下りリンク信号の受信品質の予測結果に基づいて下りリンク信号の送信停止を終了することにより、ソースセル１０Ａからターゲットセル２０Ａへのハンドオーバが完了しないで下りリンク信号の送信停止を終了したときに、ターゲットセル２０Ａからの干渉が小さい高い通信品質で端末３０がソースセル１０Ａでの通信を継続することができる。
【０１０７】
また、本実施形態において、ソースセル基地局１０は、ハンドオーバを開始する基準となる受信電力差（Ｓ２−Ｓ１）又はその受信電力差の継続時間であるＴＴＴ（Ｔｉｍｅ−Ｔｏ−Ｔｒｉｇｇｅｒ）が通常のハンドオーバ閾値（Ａ３ｏｆｆｓｅｔ）に到達するよりも早期に端末３０がターゲットセル基地局２０及びソースセル基地局１０からの受信電力のフィードバックを行うように端末３０に指示してもよい。この場合、ソースセル基地局１０は、上記ターゲットセル基地局２０（又は、それを含む複数の周辺基地局）からの下りリンク信号の送信停止によってソースセル２０Ａへの干渉が小さくなった状態におけるターゲットセル基地局２０及びソースセル基地局１０からの受信電力の情報を速やかに取得できる。
【０１０８】
また、本実施形態において、ソースセル基地局１０は、端末３０からフィードバックされるソースセル基地局１０からの受信品質Ｑ１が所定の閾値よりも低下する場合又はその閾値以下になる場合には、ハンドオーバを開始する基準となる受信電力差（Ｓ２−Ｓ１）又はその受信電力差の継続時間であるＴＴＴが通常のハンドオーバ閾値（Ａ３ｏｆｆｓｅｔ）に到達するよりも早期に端末３０のハンドオーバの開始を決定してもよい。この場合、ハンドオーバ失敗やピンポン・ハンドオーバ現象を防止しつつ、ソースセル基地局１０からターゲットセル基地局２０へのハンドオーバを早期に実施することができる。
【０１０９】
また、本実施形態において、ソースセル基地局１０は、前記ハンドオーバを開始する基準となる受信電力差（Ｓ２−Ｓ１）又はその受信電力差の継続時間であるＴＴＴが通常のハンドオーバ閾値（Ａ３ｏｆｆｓｅｔ）に到達するよりも早期に端末３０がターゲットセル基地局２０及びソースセル基地局１０からの受信電力のフィードバックを行うように端末３０に要求し、端末３０からフィードバックされるソースセル基地局１０からの受信品質Ｑ１が所定の閾値よりも低下する場合又はその閾値以下になる場合には、端末３０のハンドオーバを開始する基準となる受信電力差（Ｓ２−Ｓ１）又はＴＴＴが通常のハンドオーバ閾値（Ａ３ｏｆｆｓｅｔ）に到達するよりも早期に移動局のハンドオーバの開始を決定してもよい。
【０１１０】
なお、本明細書で説明された処理工程並びに移動通信システム、基地局及びユーザ端末装置（移動局）の構成要素は、様々な手段によって実装することができる。例えば、これらの工程及び構成要素は、ハードウェア、ファームウェア、ソフトウェア、又は、それらの組み合わせで実装されてもよい。
【０１１１】
ハードウェア実装については、実体（例えば、各種無線通信装置、Ｎｏｄｅ Ｂ、端末、ハードディスクドライブ装置、又は、光ディスクドライブ装置）において上記工程及び構成要素を実現するために用いられる処理ユニット等の手段は、１つ又は複数の、特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明された機能を実行するようにデザインされた他の電子ユニット、コンピュータ、又は、それらの組み合わせの中に実装されてもよい。
【０１１２】
また、ファームウェア及び／又はソフトウェア実装については、上記構成要素を実現するために用いられる処理ユニット等の手段は、本明細書で説明された機能を実行するプログラム（例えば、プロシージャ、関数、モジュール、インストラクション、などのコード）で実装されてもよい。一般に、ファームウェア及び／又はソフトウェアのコードを明確に具体化する任意のコンピュータ／プロセッサ読み取り可能な媒体が、本明細書で説明された上記工程及び構成要素を実現するために用いられる処理ユニット等の手段の実装に利用されてもよい。例えば、ファームウェア及び／又はソフトウェアコードは、例えば制御装置において、メモリに記憶され、コンピュータやプロセッサにより実行されてもよい。そのメモリは、コンピュータやプロセッサの内部に実装されてもよいし、又は、プロセッサの外部に実装されてもよい。また、ファームウェア及び／又はソフトウェアコードは、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、ＦＬＡＳＨメモリ、フロッピー（登録商標）ディスク、コンパクトディスク（ＣＤ）、デジタルバーサタイルディスク（ＤＶＤ）、磁気又は光データ記憶装置、などのような、コンピュータやプロセッサで読み取り可能な媒体に記憶されてもよい。そのコードは、１又は複数のコンピュータやプロセッサにより実行されてもよく、また、コンピュータやプロセッサに、本明細書で説明された機能性のある態様を実行させてもよい。
【０１１３】
また、本明細書で開示された実施形態の説明は、当業者が本開示を製造又は使用するのを可能にするために提供される。本開示に対するさまざまな修正は当業者には容易に明白になり、本明細書で定義される一般的原理は、本開示の趣旨又は範囲から逸脱することなく、他のバリエーションに適用可能である。それゆえ、本開示は、本明細書で説明される例及びデザインに限定されるものではなく、本明細書で開示された原理及び新規な特徴に合致する最も広い範囲に認められるべきである。
【符号の説明】
【０１１４】
１０  第１基地局（ソースセル基地局）
１０Ａ  第１基地局のセル（ソースセル）
２０  第２基地局（ターゲットセル基地局）
２０Ａ  第２基地局のセル（ターゲットセル）
３０  端末（移動局、ユーザ装置、通信端末装置）
【先行技術文献】
【非特許文献】
【０１１５】
【非特許文献１】3GPP TS 36.300 "Evolved Universal Terrestrial Radio Access (E-UTRA)and Evolved Universal Terrestrial Radio Access Network(E-UTRAN); Overall description; Stage 2; Protocol specification" V9.10.0, 10章
【非特許文献２】3GPP TS 36.331 "Evolved Universal Terrestrial Radio Access (E-UTRA); Radio Resource Control (RRC); Protocol specification" V9.18.0, 5.5.4.4章
【図１】
2018037871.tif 000004
【図２】
2018037871.tif 000005
【図３】
2018037871.tif 000006
【図４】
2018037871.tif 000007
【図５】
2018037871.tif 000008
【図６】
2018037871.tif 000009
【図７】
2018037871.tif 000010
【図８】
2018037871.tif 000011
【図９】
2018037871.tif 000012
【図１０】
2018037871.tif 000013
【図１１】
2018037871.tif 000014
【図１２】
2018037871.tif 000015
【図１３】
2018037871.tif 000016
【図１４】
2018037871.tif 000017